(57)【要約】【課題】灯具を収容する照明器具を用いることなく灯具を天井あるいはレースウェイ等の造営部に取り付けることができる照明装置及び照明装置の連結具を提供する。【解決手段】照明装置は、造営部に設けられた吊ボルトに取り付けられる照明装置であって、少なくとも造営部の側とは反対側に向かって発光する光源と、少なくとも光源を覆う透光性の外郭とを有する灯具と、吊ボルトに対応した位置に配置された吊ボルトと連結される連結部を有し、灯具と造営部との間に配置されるように灯具に取り付けられる連結具と、を備えている。【選択図】図１
2020087793.tif 000002
【特許請求の範囲】
【請求項１】
造営部に設けられた吊ボルトに取り付けられる照明装置であって、
少なくとも前記造営部の側とは反対側に向かって発光する光源と、少なくとも前記光源を覆う透光性の外郭とを有する灯具と、
前記吊ボルトに対応した位置に配置された前記吊ボルトと連結される連結部を有し、前記灯具と前記造営部との間に配置されるように前記灯具に取り付けられる連結具と、
を備えた照明装置。
【請求項２】
前記連結具は、
長尺状に形成された前記灯具の長手方向における両端部にそれぞれ取り付けられる請求項１に記載の照明装置。
【請求項３】
前記連結部は、
前記灯具の長手方向における両端部よりも外側に配置されている請求項２に記載の照明装置。
【請求項４】
前記連結部は、
前記灯具の長手方向における両端部よりも内側で前記吊ボルトと連結する請求項２に記載の照明装置。
【請求項５】
前記連結部には、前記吊ボルトが挿通されるボルト挿通孔が形成されており、
前記ボルト挿通孔は、
前記灯具の長手方向に沿って複数形成されている請求項２から請求項４のいずれか１項に記載の照明装置。
【請求項６】
前記連結部には、前記吊ボルトが挿通されるボルト挿通孔が形成されており、
前記ボルト挿通孔は、
前記ボルト挿通孔に挿通された前記吊ボルトが前記灯具の長手方向に沿って滑動自在となるように、前記灯具の長手方向に沿って長孔形状に形成されている請求項２から請求項４のいずれか１項に記載の照明装置。
【請求項７】
前記連結具は、
長尺状に形成された前記灯具の長手方向における両端部にそれぞれ取り付けられた状態で、前記灯具の長手方向における両端部よりも外側に前記連結部が配置される第１連結具と、あるいは、長尺状に形成された前記灯具の長手方向における両端部に取り付けられた状態で、前記灯具の長手方向における両端部よりも内側で前記吊ボルトと連結する前記連結部を有する長尺状の第２連結具と、のいずれか一方を有する請求項１に記載の照明装置。
【請求項８】
前記連結具は、
長尺状に形成された前記灯具の長手方向における両端部にそれぞれ取り付けられた状態で、前記灯具の長手方向における両端部よりも外側に前記連結部が配置される第１連結具と、
長尺状に形成された前記灯具の長手方向における両端部に取り付けられた状態で、前記灯具の長手方向における両端部よりも内側で前記吊ボルトと連結する前記連結部を有する長尺状の第２連結具と、
を有し、
前記第１連結具の前記連結部を第１連結部とし、前記第２連結具の前記連結部を第２連結部とした場合に、
前記第１連結具は、
前記灯具の長手方向における両端部にそれぞれ取り付けられており、
前記第２連結部は、
前記灯具の長手方向における両端部に取り付けられた状態で、連結用固定具によって前記第１連結部と連結されて前記第１連結具を支持すると共に、前記第２連結部が前記吊ボルトと連結する請求項１に記載の照明装置。
【請求項９】
造営部に設けられた吊ボルトに取り付けられる照明装置用の連結具であって、
前記吊ボルトに対応した位置に配置された前記吊ボルトと連結される連結部を有し、
少なくとも前記造営部の側とは反対側に向かって発光する光源及び少なくとも前記光源を覆う透光性の外郭を有する灯具と前記造営部との間に配置されるように前記灯具に取り付けられる照明装置用の連結具。
【発明の詳細な説明】
【技術分野】
【０００１】
本発明は、天井あるいはレースウェイ等の造営部に対して直接取り付けられる照明装置に関し、灯具を造営部に取り付けるための連結具を備えた照明装置及び照明装置用の当該連結具に関するものである。
【背景技術】
【０００２】
従来、光源となる灯具と、灯具を収容する照明器具とを備え、照明器具が天井等の造営部に取り付けられる照明装置が提供されている（例えば特許文献１参照）。
【先行技術文献】
【特許文献】
【０００３】
【特許文献１】特開２０１２−３９９３号公報
【発明の概要】
【発明が解決しようとする課題】
【０００４】
しかしながら、特許文献１に開示された照明装置は、灯具を造営部に取り付ける際に灯具を収容する照明器具が必要となる。そのため、作業者は、灯具を造営部に取り付ける際に、照明器具を造営部に設置する作業と、灯具を照明器具内に収容する作業とが必要となり、灯具を造営部に設置する際に手間がかかる。
【０００５】
本発明は、上記の課題を鑑みてなされたものであり、灯具を収容する照明器具を用いることなく灯具を天井あるいはレースウェイ等の造営部に取り付けることができる照明装置及び照明装置の連結具を提供するものである。
【課題を解決するための手段】
【０００６】
本発明に係る照明装置は、造営部に設けられた吊ボルトに取り付けられる照明装置であって、少なくとも造営部の側とは反対側に向かって発光する光源と、少なくとも光源を覆う透光性の外郭とを有する灯具と、吊ボルトに対応した位置に配置された吊ボルトと連結される連結部を有し、灯具と造営部との間に配置されるように灯具に取り付けられる連結具と、を備えている。
【発明の効果】
【０００７】
本発明の照明装置は、吊ボルトに対応した位置に配置され固定具によって吊ボルトと連結される連結部を有し、灯具と造営部との間に配置されるように灯具に取り付けられる連結具と、を備えている。照明装置は、灯具を収容する照明器具を用いなくても造営部に取り付けられた吊ボルトに対して灯具を直接連結することができる。そのため、照明装置は、灯具を造営部に連結する際に、灯具を収容する照明器具を用いる必要がないので、作業者は、造営部への灯具の取り付けが容易となる。
【図面の簡単な説明】
【０００８】
【図１】本発明の実施の形態１に係る照明システムの分割斜視図である。
【図２】本発明の実施の形態１に係る照明システムの分割側面図である。
【図３】本発明の実施の形態１に係る照明装置の分解斜視図である。
【図４】図２の灯具のＡ−Ａ線断面図である。
【図５】本発明の実施の形態１に係る照明装置の詳細な構成を説明する斜視図である。
【図６】本発明の実施の形態１に係る照明システムの一端側の端面図である。
【図７】本発明の実施の形態１に係る照明システムの側面図である。
【図８】本発明の実施の形態１に係る照明システムの下面図である。
【図９】図７の照明システムのＢ−Ｂ線断面図である。
【図１０】本発明の実施の形態２に係る照明システムの分割斜視図である。
【図１１】本発明の実施の形態２に係る照明システムの分割側面図である。
【図１２】本発明の実施の形態２に係る照明装置の分解斜視図である。
【図１３】本発明の実施の形態２に係る照明装置の詳細な構成を説明する斜視図である。
【図１４】本発明の実施の形態２に係る照明システムの一端側の端面図である。
【図１５】本発明の実施の形態２に係る照明システムの側面図である。
【図１６】本発明の実施の形態２に係る照明システムの下面図である。
【図１７】図１５の照明システムのＣ−Ｃ線断面図である。
【図１８】本発明の実施の形態３に係る照明システムの斜視図である。
【図１９】本発明の実施の形態３に係る照明システムの分解斜視図である。
【発明を実施するための形態】
【０００９】
以下、本発明の実施の形態に係る照明システム、照明装置及び照明装置用の連結具について、図面を参照して説明する。各図において同じ又は対応する構成要素には、同じ符号を付し、説明の繰り返しを省略する場合がある。
【００１０】
ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１１】
実施の形態１．
＜照明システム１００＞
図１は、本発明の実施の形態１に係る照明システム１００の分割斜視図である。図２は、本発明の実施の形態１に係る照明システムの分割側面図である。図１及び図２を用いて、照明システム１００について説明する。照明システム１００は、照明装置１と、造営部９と、を有する。照明装置１は、造営部９に設けられた吊ボルト９２に直接取り付けられることで、造営部９から吊り下げられて造営部９に支持される。
【００１２】
＜照明装置１の構成＞
図３は、本発明の実施の形態１に係る照明装置１の分解斜視図である。図３を参照して、実施の形態１に係る照明装置１の構成を説明する。
【００１３】
以下の説明において、照明装置１の長手方向に沿った方向を長手方向Ｘとする。また、長手方向Ｘに直交し、長手方向Ｘに対する短手方向を短手方向Ｙとする。そして、長手方向Ｘ及び短手方向Ｙのいずれとも直交する方向を上下方向Ｚとする。また、長手方向Ｘにおいて、長手端部側への向きを、端向きＸ１とする。そして、端向きＸ１と反対側への向きであり、長手中央側への向きを中向きＸ２とする。さらに、上下方向Ｚにおいて、上向きＺ１は、照明装置１が造営部９に取り付けられる向きであり、下向きＺ２は、照明装置１が造営部９から取り外される向きである。
【００１４】
照明装置１は、照明空間を照明できる位置に設置され、照明空間を照らすものである。照明空間とは、照明装置１が設置される空間、たとえば居住空間、倉庫等の空間、ビルあるいは公共施設などの空間、エレベータあるいは廊下等の共有空間、又は、電車や船舶などの乗り物内の空間等を意味している。照明装置１は、造営部９に設けられた吊ボルト９２に取り付けられる。照明装置１は、図３に示すように、光を発する灯具３と、灯具３を造営部９に連結させる連結具８とを有する。
【００１５】
＜灯具３＞
灯具３は、光源を備えて照明空間に光を発するものである。灯具３は、連結具８と共に照明装置１を構成する。照明具及び光源ユニットとなる灯具３は、長尺状に形成されており、後述する連結具８によって造営部９の吊ボルト９２に取り付けられる。本実施の形態の灯具３は、少なくとも造営部９の側とは反対側に向かって発光する光源と、少なくとも光源を覆う透光性の外郭とを有する。光源は、後述する発光部６０であり、外郭は、後述する透光性カバー３０である。灯具３は、主として、透光性カバー３０、端部蓋４０、封止具４３、連結部材４４、取付部材５０及び発光部６０等を有している。
【００１６】
（透光性カバー３０）
透光性カバー３０は、少なくとも可視光を透過する透光性の材料が用いられ、後述する取付部材５０、発光部６０及び制御部７３等を内部の空間に収容し、保護する、筒形状の外郭である。透光性カバー３０は、ガラス、ポリカーボネイト、アクリル等の樹脂材料を用いて形成することができる。また、透光性カバー３０は、外観意匠部分にもなる。本実施の形態の透光性カバー３０は、例えば、押出成形によって筒形部材を、製品の仕様等に応じて必要な長さに切断することで、製造することができる。
【００１７】
図４は、図２の灯具３のＡ−Ａ線断面図である。透光性カバー３０は、取付部材５０に配置された発光素子６１の発光面を覆う。本実施の形態の灯具３では、図４に示すように、透光性カバー３０のうち、台座５１より下方の部分は、発光部６０の照射側及び台座５１の表面を覆う外殻部になる。ここで、この部分の外周部３７については、外面部に対する法線の向きが、発光素子６１の光軸に沿う向きから光軸に直交する向きまでの範囲内となっている。したがって、透光性カバー３０のうち、台座５１より下方の部分は、外面部が下方、斜め下方、あるいは側方（水平方向外側）に向いている。ここで、透光性カバー３０について、製品の仕様等に応じて、光拡散性、波長弁別性等を有するものであってもよい。また、透光性カバー３０は、反射性、遮光性等を有する材料を用いて形成してもよい。
【００１８】
本実施の形態の筒形状の透光性カバー３０は、図４に示すように、内部に収容される機器を覆う。透光性カバー３０は、長手方向Ｘの垂直断面において、一組の並行部３１、第１接続部３２及び第２接続部３３の部分を有している。また、透光性カバー３０には、２つのリブ３４が設けられている。図４に示すように、透光性カバー３０の外周部３７は、一組の並行部３１、第１接続部３２及び第２接続部３３を有する外殻部の外面側の壁である。また、内周部３８は、一組の並行部３１、第１接続部３２及び第２接続部３３を有する外殻部の内面側の壁である。
【００１９】
並行部３１は、図３及び図４に示すように、発光部６０の側方に位置する透光性カバー３０の側壁である。一組の並行部３１は、透光性カバー３０において、一組の面が同じ距離で並行する面を形成している。透光性カバー３０は、一組の並行部３１の外側の面部分となる外面部及び内側の面部分となる内面部が、それぞれ、ともに平面形状である。一組の外面部及び一組の内面部は、透光性カバー３０に収容される発光素子６１の光軸に沿った平面であり、外殻部の外表面となっている。本実施の形態では、この平面は、灯具３が造営部９に取り付けられた状態で、上下方向Ｚに沿って形成されている。そして、この平面は、灯具３が造営部９に取り付けられる向き又は造営部９から取り外される向きに沿った平面にもなる。並行部３１は、灯具３の側方における光の照射部となる。
【００２０】
第１接続部３２は、一組の並行部３１における照射側の端部同士を繋いでいる部分であり、発光素子６１の光軸と交わり、灯具３の主たる照射部となる。第１接続部３２は、発光素子６１からの光を下方に向けて照射する。第１接続部３２の外面部及び内面部は、１つ又は複数の面で構成されている。図４に示すように、本実施の形態では、透光性カバー３０における第１接続部３２の外面部及び内面部が、１つの曲面で構成されている場合について説明する。ここで、第１接続部３２の外面部及び内面部が、複数の面で構成される場合は、複数の異なる曲率の複数の曲面、複数の異なる角度の複数の平面、これらの曲面と平面とを組み合わせて構成することができる。
【００２１】
第２接続部３３は、一組の並行部３１における上方側の端部同士を繋いでいる部分であり、灯具３が造営部９に取り付けられた状態において、造営部９と対向する部分である。本実施の形態では、透光性カバー３０における第２接続部３３の外面部及び内面部は、１つの曲面で構成されている場合について説明する。ここで、第２接続部３３の外面部及び内面部が、複数の面で構成される場合は、複数の異なる曲率の複数の曲面、複数の異なる角度の複数の平面、これらの曲面と平面とを組み合わせて構成することができる。
【００２２】
リブ３４は、透光性カバー３０の外面部の法線方向に張り出すように設けられる。本実施の形態では、リブ３４は、各並行部３１において、外側に向かって張り出すように設けられている。そして、各リブ３４は、並行部３１と一体形成される。各リブ３４は、透光性カバー３０の長手方向Ｘに延設されている。
【００２３】
図５は、本発明の実施の形態１に係る照明装置１の詳細な構成を説明する斜視図である。透光性カバー３０は、取付部材５０の長手方向に沿った長手方向Ｘとなる第１方向における端部３６に開口が形成されている。換言すれば、透光性カバー３０は、少なくとも一方の端部３６が開口する長尺形状の中空体であると共に、発光素子６１が実装された基板６２を内部に収納する外郭である。
【００２４】
カバー端部３５は、透光性カバー３０の長手方向Ｘにおいて、透光性カバー３０の両端部分である。透光性カバー３０のカバー端部３５には、端部３６が設けられている。端部３６は、カバー端部３５において端部蓋４０が嵌合される部分であり、端部蓋４０に覆われる部分である。端部３６は、透光性カバー３０の伸縮に伴い、端部蓋４０と共に長手方向Ｘである第１方向に沿って移動自在な自由端である。厳密には、透光性カバー３０の端部３６及び端部蓋４０は、「長手方向Ｘ」以外の方向にも伸縮するものであるが、本実施の形態に係る灯具３においては、透光性カバー３０は「長手方向Ｘ」の伸縮を許容する構造（構成）を有するものとする。透光性カバー３０は、端部蓋４０と嵌合できるように、端部３６の外面部にはリブ３４が形成されていない。前述したように、押出成形によって押出した筒形部材を切断して透光性カバー３０を製造する場合には、長手方向Ｘに延設されたリブ３４のうち、端部３６に対応する部分は削除される。
【００２５】
（端部蓋４０）
端部蓋４０は、透光性カバー３０の長手方向Ｘにおける両端部に取り付けられる。端部蓋４０は、少なくとも端部３６に形成された開口の一部を覆った状態で透光性カバー３０に取り付けられている。また、端部蓋４０は、端部３６を構成する壁部の外表面側を覆った状態で透光性カバー３０に取り付けられている。端部蓋４０は、灯具３の光源を覆う透光性カバー３０の開口部に配置される。
【００２６】
端部蓋４０は、弾性部材である封止具４３を端部３６に押し当てるように透光性カバー３０に取り付けられる。端部蓋４０は、端部３６と共に封止具４３に密着した状態で、端部３６に取り付けられる。封止具４３は、端部蓋４０と端部３６との間に挟まれて配置される弾性部材である。端部蓋４０は、封止具４３を挟んで透光性カバー３０の端部３６に嵌着することによって、透光性カバー３０を密閉構造とする。ここで、端部蓋４０に取り付けられる取付部材５０及び透光性カバー３０は、照明装置１の使用環境温度及び灯具３の点灯時と消灯時とにおける温度の変化によって、特に、長手方向Ｘにおける伸縮量が異なる。端部蓋４０は、透光性カバー３０の密閉を維持しながら、透光性カバー３０及び取付部材５０の長手方向Ｘにおける端部同士が、相互に移動可能となるような構造となっている。
【００２７】
端部蓋４０は、外カバーとなる第１端部カバー４１と内カバーとなる第２端部カバー４２とを有している。内カバーとなる第２端部カバー４２は、外カバーとなる第１端部カバー４１内に配置される。すなわち、端部蓋４０は、複数の部品を一体化して構成されている。ここで、本実施の形態の第１端部カバー４１及び第２端部カバー４２は、樹脂材料を用いて形成されているものとして説明する。ただし、第１端部カバー４１及び第２端部カバー４２の材料は、樹脂材料に限定されるものではない。第１端部カバー４１及び第２端部カバー４２は、樹脂材料以外の金属材料、セラミック材料等を用いて形成されてもよい。また、本実施の形態では、第１端部カバー４１と第２端部カバー４２とを別部材とし、嵌着して一体化するようにしているが、あらかじめ一体化された１つの部材として成形するようにしてもよい。
【００２８】
（第１端部カバー４１）
第１端部カバー４１は、第１カバー主部４１０、連結ガイド４１３、カバー下面部４１４、カバー電線保持部４１６、カバー端面部４１７及び端部カバー外周部４１９を有している。
【００２９】
第１カバー主部４１０は、板状の部材であり、端部蓋４０のベースとなる外端部である。第１カバー主部４１０は、灯具３の外端部を形成し、透光性カバー３０と、封止具４３と、端部蓋４０とが組み合わされた状態において、長手方向Ｘである第１方向において端部３６より外側に配置される。
【００３０】
第１端部カバー４１の第１カバー主部４１０には、第１カバー貫通孔４１１及び第１カバー連結孔４１２が形成されている。第１カバー貫通孔４１１には、端部蓋４０と、封止具４３と、取付部材５０とが組み合わされた状態において、封止具筒状部４３３及びボス部５７が挿通される。本実施の形態では、第１カバー連結孔４１２は、第１カバー主部４１０に４個形成されており、第２端部カバー４２に形成された４個の第２カバー係合片４２２が挿入される。第１カバー連結孔４１２には、第２カバー係合片４２２の先端にそれぞれ形成された第２カバー係合爪４２３が引っ掛かり、係着することによって、第２端部カバー４２が第１端部カバー４１に取り付けられる。
【００３１】
連結ガイド４１３は、端部蓋４０の要素の１つである。連結ガイド４１３は、連結部材４４の段差部４５０に形成された固定具挿通部４５１にあらかじめ取り付けられている固定具４８に向かって、カバー下面貫通孔４１５からドライバ等の工具を案内する筒状のガイド壁である。連結ガイド４１３は、後述するカバー下面部４１４の底面部４１４ａから立ち上がり筒状に形成されている。連結ガイド４１３の直径は、固定具４８の最大径となる固定具４８の頭部の直径よりも大きい。灯具３は、連結ガイド４１３の先端部の上方に、連結部材第１固定部４５の段差部４５０が配置されている。
【００３２】
カバー下面部４１４は、第１方向（長手方向Ｘ）における第１カバー主部４１０より端部側に形成され、連結部材４４及び固定具４８を隠す化粧カバーの一部として機能する。カバー下面部４１４は、底面部４１４ａと、側面部４１４ｂとを有する。
【００３３】
底面部４１４ａは、端部蓋４０の底壁である。底面部４１４ａは、端部蓋４０が灯具３に取り付けられた場合に、後述する連結具８と対向する。底面部４１４ａには、連結ガイド４１３の内面壁に沿って、貫通孔であるカバー下面貫通孔４１５が形成されている。カバー下面貫通孔４１５は、連結部材４４の段差部４５０に形成された固定具挿通部４５１にあらかじめ取り付けられている固定具４８に向かって、ドライバ等の工具を挿入する施工用の孔であり、施工後はカバー蓋４９によって塞がれる孔である。カバー下面貫通孔４１５は、万が一、固定具４８が、固定具挿通部４５１から外れたときには固定具４８の取り出し口として機能する。
【００３４】
側面部４１４ｂは、端部蓋４０が灯具３に取り付けられた場合に、灯具３の短手方向Ｙ（第２方向）に配置される壁である。カバー下面部４１４は、本実施の形態では、意匠性に配慮して端部カバー外周部４１９と連続させている。
【００３５】
カバー下面部４１４は、固定具挿通部４５１が第１方向（長手方向Ｘ）と交差する方向に沿って形成される場合には、カバー下面部４１４の側面部４１４ｂが固定具４８の移動を規制する。そして、カバー下面部４１４は、固定具４８が連結部材４４の連結部材第１固定部４５から外れないように機能する。カバー下面部４１４の側面部４１４ｂは、固定具４８が固定具挿通部４５１の開放端４５２から外れないように固定具挿通部４５１の開放端４５２を形成する段差部４５０の端面部と対向する。すなわち、固定具４８が取り付けられた連結部材４４と、端部蓋４０とが、灯具３に取り付けられた場合に、側面部４１４ｂが開放端４５２を覆う。
【００３６】
この際、固定具挿通部４５１が形成される連結部材第１固定部４５の少なくとも段差部４５０は、固定具４８が固定具挿通部４５１の開放端４５２から外れないように、カバー下面部４１４の側面部４１４ｂとの距離寸法を考慮して、短手方向Ｙの寸法が決定される。
【００３７】
カバー下面部４１４は、第１カバー主部４１０の周縁部に形成された側壁でもあり、第１カバー主部４１０の周縁部の側面から下面にかけて形成されている。このカバー下面部４１４は端部カバー外周部４１９と共に、第１カバー主部４１０の周縁部に形成された側壁である外壁部４１０ａを形成する。外壁部４１０ａは、外端部である第１カバー主部４１０の周縁から起立して周状の壁形状として形成されている。すなわち、第１端部カバー４１は、外端部である第１カバー主部４１０と、外壁部４１０ａとを有する。外壁部４１０ａは、外端部である第１カバー主部４１０に形成され、透光性カバー３０と、封止具４３と、端部蓋４０とが組み合わされた状態において、長手方向Ｘである第１方向と交差する第２方向において端部３６より外側に配置される。ここで第２方向とは、短手方向Ｙ及び上下方向Ｚを含む、長手方向Ｘと交差する全方向である。
【００３８】
カバー電線保持部４１６は、端部カバー外周部４１９の上面部に形成されている。カバー電線保持部４１６は、端部カバー外周部４１９から上方（Ｚ１方向）に突出している。カバー電線保持部４１６は、灯具３の外部に設けられた端子台（図示は省略）と制御部７３とが電気的に接続され、制御部７３に外部電力を供給する電源線７４、灯具３の電位を設定する接地線７５及び外部から制御部７３を制御する制御線７６等を保持する。
【００３９】
カバー端面部４１７は、第１方向（長手方向Ｘ）におけるカバー下面部４１４の端部側を覆うように形成され、連結部材４４及び固定具４８を隠す化粧カバーの一部として機能する。カバー端面部４１７は、端部蓋４０が灯具３に取り付けられた場合に、長手方向Ｘ（第１方向）の最外壁を構成する。カバー端面部４１７の下部には、カバー端面貫通孔４１８が形成されている。カバー端面貫通孔４１８は、端部カバー内に溜まる水分等の液体あるいは塵埃等が排出される排出孔である。
【００４０】
カバー端面部４１７は、連結ガイド４１３を備えない端部蓋４０の第１端部カバー４１を用いる場合には、固定具４８が固定具挿通部４５１の開放端４５２から外れないように固定具挿通部４５１の開放端４５２を覆い、固定具４８の移動を規制する。端部蓋４０のカバー端面部４１７は、固定具４８が固定具挿通部４５１の開放端４５２から外れないように固定具挿通部４５１の開放端４５２を形成する段差部４５０の端面部と対向する。すなわち、固定具４８が取り付けられた連結部材４４と、端部蓋４０とが、灯具３に取り付けられた場合に、カバー端面部４１７が開放端４５２を覆う。
【００４１】
固定具挿通部４５１が形成される連結部材第１固定部４５の少なくとも段差部４５０は、固定具４８が固定具挿通部４５１の開放端４５２から外れないように、カバー端面部４１７との距離寸法を考慮して、長手方向Ｘ（第１方向長手方向）の寸法が決定される。
【００４２】
端部カバー外周部４１９は、第１カバー主部４１０の周縁部に形成された側壁であり、第１カバー主部４１０の周縁部の側面から上面にかけて形成されている。この端部カバー外周部４１９はカバー下面部４１４と共に、第１カバー主部４１０の周縁部に形成された側壁である外壁部４１０ａを形成する。端部カバー外周部４１９は、封止具４３を間にして、透光性カバー３０の端部３６に嵌着される部分である。本実施の形態では、端部カバー外周部４１９は、意匠性に配慮してカバー下面部４１４と連続させている。
【００４３】
（第２端部カバー４２）
第２端部カバー４２は、第１端部カバー４１と共に端部蓋４０を構成する。第２端部カバー４２は、第１端部カバー４１の内部に配置されて第１端部カバー４１と組み合わされる。端部蓋４０は、第２端部カバー４２の端部カバー内周部４２５が形成する開口と、第１端部カバー４１の外壁部４１０ａが形成する開口と、が向き合うように嵌め合わされ、箱状に形成される。第２端部カバー４２は、第２カバー主部４２０、第２カバー係合片４２２、第２カバー係合爪４２３及び端部カバー内周部４２５を有している。
【００４４】
第２カバー主部４２０は、板状の部材であり、端部蓋４０と封止具４３とが組み合わされた状態において、封止具４３の封止具主部４３０と対向して当接する内端部である。内端部である第２カバー主部４２０は、灯具３の長手方向Ｘである第１方向において、内壁部である端部カバー内周部４２５の、外端部である第１カバー主部４１０とは反対側の端部に、端部蓋４０における第１カバー主部４１０とは反対側の壁を構成する。すなわち、第２端部カバー４２は、内端部である第２カバー主部４２０と、内壁部である端部カバー内周部４２５とを有する。端部蓋４０において、第２端部カバー４２の第２カバー主部４２０と、第１端部カバー４１の第１カバー主部４１０とは対向する壁を構成する。
【００４５】
第２端部カバー４２の第２カバー主部４２０には、端部カバー挿通部４２１が形成されている。端部カバー挿通部４２１には、封止具４３の封止具主部４３０に形成されている電線挿通部４３１及び封止具４３の封止具主部４３０に形成されている封止具筒状部４３３が挿通される。また、端部カバー挿通部４２１には、端部蓋４０と、封止具４３と、取付部材５０とが組み合わされた状態において、封止具筒状部４３３及びボス部５７が挿通される。端部カバー挿通部４２１を形成する縁部に沿って、挿通壁４２１ａが形成されている。挿通壁４２１ａは、端部カバー挿通部４２１の縁部に沿って形成された周壁であり、端部カバー内周部４２５と対向するように形成されている。挿通壁４２１ａは、端部蓋４０と、封止具４３と、取付部材５０とが組み合わされた状態において、内部にボス部５７が挿通された封止具筒状部４３３と当接する。
【００４６】
第２カバー主部４２０には、第２カバー係合片４２２が形成されている。第２カバー係合片４２２は、第２カバー主部４２０から突出する板状の棒材である。第２カバー係合片４２２は、第２カバー主部４２０から端部カバー内周部４２５が立ち上がる方向と同じ方向に、第２カバー主部４２０から突出している。第２カバー係合片４２２は、本実施の形態では４個形成されており、第２カバー係合片４２２は、第１端部カバー４１と第２端部カバー４２とが組み合わされた状態において、第１端部カバー４１に形成された４個の第１カバー連結孔４１２に挿入される。
【００４７】
第２カバー係合爪４２３は、第２カバー係合片４２２の先端にそれぞれ設けられた爪である。第２カバー係合爪４２３は、第１端部カバー４１の第１カバー主部４１０に設けられた第１カバー連結孔４１２を構成する縁部に引っ掛かることによって係着する。第２カバー係合爪４２３が、第１カバー連結孔４１２に係着することによって、第２端部カバー４２が第１端部カバー４１に取り付けられ、第１端部カバー４１と第２端部カバー４２とは一体の構造体となる。
【００４８】
端部カバー内周部４２５は、第２カバー主部４２０の周縁部に形成された側壁である。端部カバー内周部４２５は、端部蓋４０において、外周部４３７及び端部３６を挟んで、外壁部４１０ａと対向するように周状の壁形状として形成された内壁部である。端部カバー内周部４２５は、透光性カバー３０と、封止具４３と、端部蓋４０とが組み合わされた状態において、第２方向において端部３６より内側に配置される内壁部である。なお、端部カバー内周部４２５の先端部には、外側に突出するように形成されたフランジ状のカバー鍔部が形成されていてもよい。
【００４９】
（封止具４３）
封止具４３は、透光性カバー３０の長手方向Ｘにおける両端部と端部蓋４０との間に挟まれた状態で、透光性カバー３０の長手方向Ｘにおける両端部に配置される弾性部材である。弾性部材である封止具４３は、透光性カバー３０の端部３６に取り付けられて端部３６の開口を塞いでいる。封止具４３は、樹脂材料を用いて製造されており、弾性変形するシール部材（ガスケット、パッキン等）である。封止具４３は、樹脂材料を用いて弾性変形するように形成されて、透光性カバー３０及び端部蓋４０に密着する。そのため、封止具４３は、透光性カバー３０の長手方向Ｘにおける両端部と端部蓋４０との間に挟まれた状態で、透光性カバー３０の長手方向Ｘにおける両端部を密閉する。
【００５０】
封止具４３は、封止具主部４３０と、内周部４３５と、外周部４３７と、接続部４３６とを有する。封止具４３は、封止具主部４３０と、内周部４３５と、外周部４３７と、接続部４３６とが一体に形成されている。
【００５１】
封止具主部４３０は、板状に形成されている。封止具主部４３０は、内周部４３５の内側を塞ぐように形成される。封止具主部４３０は、後述する台座固定具５４の固定部５６と第２端部カバー４２の第２カバー主部４２０とに挟まれる。封止具主部４３０は、封止具４３と端部蓋４０とが係合した状態において、第２端部カバー４２の第２カバー主部４２０と当接する。封止具主部４３０は、封止具４３と端部蓋４０とが係合した状態において、端部蓋４０と対向する面側に、電線挿通部４３１と封止具筒状部４３３とが形成されている。
【００５２】
電線挿通部４３１は、封止具４３と端部蓋４０とが係合した状態において、端部蓋４０と対向する面側から突出しており、電源線７４、接地線７５及び制御線７６を通過させる電線挿通孔４３２を形成している。
【００５３】
封止具筒状部４３３は、封止具主部４３０において電線挿通部４３１を挟んで２つ設けられているが、封止具筒状部４３３の形成数は、台座固定具５４の固定部５６の数以上であれば、１つでもよく、３つ以上でもよい。封止具筒状部４３３が突出する封止具主部４３０の壁部は、封止具４３と端部蓋４０とが係合した状態において端部蓋４０と対向する面側の壁部である。封止具筒状部４３３は、封止具４３と台座固定具５４とが係合した状態において、台座固定具５４の固定部５６から突出するボス部５７が挿入される。封止具筒状部４３３は、円筒状に形成されている。封止具筒状部４３３の先端には、固定ネジ７１がネジ止めされるネジ挿通孔４３４が形成されている。
【００５４】
板状に形成された封止具主部４３０の周縁部には、内周部４３５が形成されている。内周部４３５は、弾性部材である封止具４３が、第２端部カバー４２及び透光性カバー３０と係合した状態において、第２端部カバー４２の端部カバー内周部４２５と透光性カバー３０の端部３６の内周部３８とに挟まれる部分である。
【００５５】
封止具４３の外周部４３７は、環状に形成されており内周部４３５と対向するように内周部４３５の外側に形成されている。したがって、封止具４３の外周部４３７と内周部４３５との間には隙間が形成されている。この外周部４３７は、封止具４３が、第１端部カバー４１及び透光性カバー３０と係合した状態において、第１端部カバー４１の外壁部４１０ａと透光性カバー３０の外周部３７とに挟まれる部分である。
【００５６】
封止具４３の接続部４３６は、封止具主部４３０の内周部４３５と外周部４３７との間に位置する。接続部４３６は、封止具４３が、第１端部カバー４１及び透光性カバー３０と係合した状態において、第１端部カバー４１の第１カバー主部４１０と透光性カバー３０のカバー端部３５とに挟まれる部分である。
【００５７】
（連結部材４４）
連結部材４４は連結具であり、灯具３の長手方向Ｘの両端部に備えられており、灯具３を連結具８に取り付けるための取付金具ある。連結部材４４は、灯具３に固定され、また、固定具４８によって連結具８の連結具第１固定部８１に固定される。また、連結部材４４は、連結部材第２固定部４６の長手方向Ｘ（第１方向）における中央側（Ｘ２側）の面とボス部５７の端面とが当接した状態で、２つの固定ネジ７１を用いて台座固定具５４に取り付けられて固定される。この際、連結部材４４の端部側（Ｘ１側）の面は、連結具８の連結具第２固定部８２と当接している。すなわち、固定ネジ７１は、連結具８と連結部材４４とを、取付部材５０のボス部５７にネジ止めして固定する。したがって、連結部材４４は、端部蓋４０に対して、ネジ等を用いた直接的な固定はされていない。連結部材４４は、台座固定具５４のボス部５７に密着する封止具４３を介して位置決めされ、端部蓋４０に間接的に固定される。すなわち、連結部材４４は、灯具３の長手方向Ｘである第１方向において、端部蓋４０の外側に配置される。そして、連結部材４４は、一部が端部蓋４０を貫通している取付部材５０と連結具８の連結具第２固定部８２とに固定されると共に、他の一部が連結具８の連結具第１固定部８１に固定される。本実施の形態では、連結部材４４は、金属製の板材を折り曲げて形成されているものとする。ただし、連結部材４４は、金属製の板材の折り曲げから形成されるものに限定されるものではなく、例えば、樹脂、セラミック等、他の材料を用いて形成されてもよく、また、押出成形、積層造形等、他の方法で形成されてもよい。連結部材４４は、連結部材第１固定部４５と、連結部材第２固定部４６と、係合部４７と、を有している。
【００５８】
連結部材第１固定部４５は、後述する連結部材第２固定部４６の下方側（Ｚ２側）の端部から灯具３の端部側（Ｘ１側）に延設する板状の部材である。すなわち、連結部材第１固定部４５は、連結部材第２固定部４６の下縁部から突出する板状の部材である。連結部材第１固定部４５は、照明装置１の灯具側連結部である。連結部材第１固定部４５と連結部材第２固定部４６とは、屈曲している。連結部材第１固定部４５は、端部蓋４０と係合した状態において、端部蓋４０側とは反対側に突出している。連結部材第１固定部４５は、連結部材第２固定部４６に対して、後述する係合部４７の突出方向とは反対側に突出している。連結部材第１固定部４５は、灯具３が造営部９に取り付けられている状態では、段差部４５０以外の上方の面が連結具８の第１固定部主部８１０に当接する。
【００５９】
連結部材第１固定部４５には、固定具４８が取り付けられる。そのため、連結部材第１固定部４５には、面の高さが異なる段差部４５０が形成されており、段差部４５０には、固定具４８が挿入される固定具挿通部４５１が形成されている。段差部４５０は、連結部材第１固定部４５の短手方向Ｙの中央領域において一部下方（Ｚ２側）に窪ませた部分である。連結部材第１固定部４５の段差部４５０には、固定具挿通部４５１を通過した固定具４８を固定する第１固定具ワッシャ４８５ａが配置される。第１固定具ワッシャ４８５ａは、固定具４８と係合する座金である。段差部４５０の高さ寸法あるいは深さ寸法は、第１固定具ワッシャ４８５ａの厚さ寸法と同じ寸法である。段差部４５０の形状及び面積は、第１固定具ワッシャ４８５ａの形状及び寸法を考慮して決定される。
【００６０】
固定具挿通部４５１は、段差部４５０の短手方向Ｙにおける略中央において、長手方向Ｘ（第１方向）における端部側（Ｘ１側）からスリット状に形成された縁部によって形成されている。固定具挿通部４５１は、灯具３の長手方向Ｘに延びるように形成されている。固定具挿通部４５１は、灯具３の端部となる、Ｘ１側の端部において、段差部４５０の縁部が切り欠かれており、開放端４５２となっている。固定具挿通部４５１には、固定具４８が開放端４５２を介して嵌入される。固定具挿通部４５１は、固定具４８の胴部４８１の括れ部より大きい幅寸法で形成されており、固定具４８の胴部４８１が挿通する。固定具挿通部４５１の形状はスリット状に限定されず、断面が楕円形を含む円形、多角形の貫通孔でもよい。なお、固定具挿通部４５１は、段差部４５０の短手方向Ｙにおける略中央において、長手方向Ｘ（第１方向）における端部側（Ｘ１側）からスリット状に形成された縁部によって形成される態様に限定されるものではない。固定具挿通部４５１は、連結部材第１固定部４５において、例えば、第１方向（長手方向Ｘ）と交差する方向に沿って形成されてもよい。すなわち、この場合、段差部４５０は、例えば、連結部材第１固定部４５の長手方向Ｘの中央領域において一部下方（Ｚ２側）に窪ませた部分に形成されてもよい。そして、固定具挿通部４５１は、長手方向Ｘにおける段差部４５０の略中央に縁部が切り欠かれた開放端４５２を形成し、開放端４５２から短手方向Ｙ（第２方向）にスリット状に形成されてもよい。端部蓋４０は、固定具４８が取り付けられた連結部材４４と、端部蓋４０とが、灯具３に取り付けられた場合に、開放端４５２を覆う。なお、固定具挿通部４５１は、連結部材第１固定部４５にのみ形成されている。
【００６１】
連結部材第２固定部４６は、連結部材第１固定部４５において、長手方向Ｘ（第１方向）における中央側（Ｘ２側）の端部から上方に立設した部分である。連結部材第２固定部４６は、板状の部材である。連結部材第２固定部４６は、端部蓋４０及び封止具４３を、取付部材５０の台座固定具５４と共に挟持する。連結部材第２固定部４６には、固定ネジ７１をネジ止めする固定ネジ挿通孔４６０が形成されている。固定ネジ挿通孔４６０は、ボス部５７のネジ孔５８にねじ込まれる固定ネジ７１が挿通する貫通孔である。連結部材第２固定部４６は、固定ネジ挿通孔４６０に挿入される固定ネジ７１によってボス部５７に取り付けられる。
【００６２】
連結部材第２固定部４６には、係合片挿通孔４６１が形成されてもよい。係合片挿通孔４６１は、第２端部カバー４２の第２カバー係合片４２２及び第２カバー係合爪４２３の断面形状に対応して、連結部材第２固定部４６に設けられる貫通孔である。係合片挿通孔４６１は、透光性カバー３０の伸長に伴い長手方向Ｘ（第１方向）に移動する第２端部カバー４２の第２カバー係合片４２２及び第２カバー係合爪４２３が、連結部材４４の連結部材第２固定部４６と干渉しないように形成されている。係合片挿通孔４６１は、透光性カバー３０の伸長の量、すなわち、第２カバー係合片４２２及び第２カバー係合爪４２３の移動の量が小さい場合、あるいは、端部蓋４０が一体形成されている場合等は不要であり、灯具３の必須の構成ではない。
【００６３】
連結部材４４には、電源線７４、接地線７５、制御線７６等の電線を通過させるスリット４７１がスリット状に形成されている。スリット４７１は、上部スリット４７１０と、端部スリット４７１１とを有する。連結部材第２固定部４６に形成されているスリット４７１を端部スリット４７１１と称する。端部スリット４７１１は、連結部材４４の上下方向Ｚに形成されている。端部スリット４７１１は、係合部４７に形成されている後述する上部スリット４７１０と繋がっている。スリット４７１は、電線挿通孔として設けられている。係合部４７は、灯具３の構造上の強度、あるいは、灯具３の造営部９に対する取り付け上の強度には一切影響しない構成部分である。そのため、電線挿通孔として設けられているスリット４７１が、連結部材第２固定部４６と係合部４７との屈曲部分を通過するように、上部スリット４７１０と端部スリット４７１１とを連続して形成されていても灯具３の構造上の強度を低下させるおそれはない。また、スリット４７１が、連結部材第２固定部４６と係合部４７との屈曲部分を通過するように、上部スリット４７１０と端部スリット４７１１とを連続して形成されていても灯具３の造営部９に対する取付上の強度を低下させるおそれはない。
【００６４】
係合部４７は、連結部材第２固定部４６の上方側（Ｚ１側）の端部から長手方向Ｘ（第１方向）における中央側（Ｘ２側）に延設した部分である。すなわち、係合部４７は、連結部材第２固定部４６の上縁部から突出する板状の部材である。係合部４７と連結部材第２固定部４６とは、屈曲している。係合部４７は、端部蓋４０と係合した状態において、端部蓋４０側に突出しており、灯具３において、灯具３の上方側（Ｚ１側）に配置される。
【００６５】
上述したように、連結部材４４には、電源線７４、接地線７５、制御線７６等の電線を通過させるスリット４７１がスリット状に形成されている。係合部４７に形成されているスリット４７１を上部スリット４７１０と称する。上部スリット４７１０は、灯具３の長手方向Ｘに沿って形成されている。上部スリット４７１０は、連結部材第２固定部４６に形成された端部スリット４７１１と繋がっている。上部スリット４７１０は、透光性カバー３０の端部３６及び端部蓋４０を、長手方向Ｘ（第１方向）の移動が規制されない自由端とするために、連結部材４４の係合部４７に形成されたスリットである。上部スリット４７１０には、後述する挿入孔４７２から挿入されるカバー電線保持部４１６が、短手方向Ｙ及び上下方向Ｚに移動が規制された状態で係合する。なお、挿入孔４７２に配置されるカバー電線保持部４１６は、長手方向Ｘ（第１方向）には移動が規制されない。上部スリット４７１０に、カバー電線保持部４１６が係合した状態では、連結部材４４の端部蓋４０に対する位置が決まるので、固定ネジ７１を用いて連結部材４４をボス部５７に固定する際に固定ネジ７１の位置合わせがし易くなる。電源線７４、接地線７５、制御線７６の全て又は一部を編組チューブ等で束線した状態では、一般的に硬くなり曲がり難くなる。しかし、連結部材４４は、上部スリット４７１０と繋がるように形成された端部スリット４７１１を有することにより、電源線７４等が束線されて曲がり難くなっても、配線がし易くなる。
【００６６】
係合部４７には、カバー電線保持部４１６が挿入される挿入孔４７２が形成されている。挿入孔４７２は、上部スリット４７１０と連続して形成されている。挿入孔４７２は、連結部材第２固定部４６に形成されている貫通孔であり、上部スリット４７１０の長手方向Ｘ（第１方向）における中央側（Ｘ２側）と繋がって形成されている。挿入孔４７２は、カバー電線保持部４１６が挿入可能な形状及び寸法で形成されている。挿入孔４７２から挿入されたカバー電線保持部４１６は、透光性カバー３０の伸長に応じて、上部スリット４７１０と係合した状態で、長手方向Ｘに沿って移動する。そのためカバー電線保持部４１６は、透光性カバー３０の伸縮、及び透光性カバー３０の伸縮に伴う端部蓋４０及び封止具４３の移動を妨げない。
【００６７】
（固定具４８）
固定具４８は、灯具３を連結具８に固定する。固定具４８は、例えば連結ネジである。固定具４８は、頭部４８０と、胴部４８１とを有する。頭部４８０は、雄ネジ部品の頭の部分であり、軸の終端に設けられたより太い部分である。頭部４８０の頂面には、例えば、ドライバ等の工具で回すための溝あるいは穴が設けられている。胴部４８１は、ネジ部であり、胴部４８１が段差部４５０に配置されると、胴部４８１の括れ部分が固定具挿通部４５１に挿通される。固定具４８は金属製であるが、これに限定されるものではなく、樹脂製、あるいは、セラミック製等でもよい。
【００６８】
固定具ワッシャ４８５は、抜け止めワッシャであり、いわゆる平座金である。この固定具ワッシャ４８５は、固定具４８から外れないように予め固定具４８に嵌着されている。なお、本実施の形態では、固定具ワッシャ４８５は胴部４８１の括れ部分に予め係着されているが、固定具ワッシャ４８５は当該態様に限定されず、後付け可能なワッシャでもよい。固定具ワッシャ４８５は、金属製であるが、これに限定されるものではなく、樹脂製、あるいは、セラミック製等でもよい。
【００６９】
固定具４８は、胴部４８１の括れ部分が固定具挿通部４５１に挿通され、段差部４５０を、頭部４８０と、胴部４８１の括れ部分に係着された固定具ワッシャ４８５との間に挟んだ状態で、連結部材第１固定部４５に取り付けられている。この際、固定具ワッシャ４８５は、固定具４８から外れないように予め胴部４８１の括れ部分に係着されている。
【００７０】
（取付部材５０）
取付部材５０は、透光性カバー３０の両端部に位置する端部蓋４０、連結部材４４及び連結具８が取り付けられる部材である。また、取付部材５０は、発光部６０及び制御部７３等を透光性カバー３０内の空間に固定させる部材である。取付部材５０は、台座５１と、台座固定具５４と、を有する。取付部材５０は、透光性カバー３０に収容される。そして、取付部材５０は、図５に示すように、固定ネジ７１によって、連結部材４４及び連結具８に固定される。また、取付部材５０は、封止具４３を介して、端部蓋４０と間接的に係合している。したがって、取付部材５０は、透光性カバー３０には直接固定されていないが、透光性カバー３０の長手方向Ｘにおける両側のカバー端部３５に嵌合している端部蓋４０を介して透光性カバー３０と繋がっている。
【００７１】
台座５１は、取付部材５０の主たる部分であり、図４に示すように、発光部６０及び制御部７３等が取り付けられる。本実施の形態では、台座５１は、金属製の板材を折り曲げて形成されているものとする。ただし、台座５１は、金属製の板材を折り曲げて形成されたものに限定するものではなく、例えば、樹脂、セラミック等、金属以外の材料を用いて形成されたものでもよく、また、押出成形、積層造形等、他の方法で形成されたものでもよい。また、図示は省略するが、放熱効率（熱放射率）、あるいは、光の利用効率（反射率）等を向上させるために、台座５１に表面処理を施し、あるいは、台座５１に機能部材を敷設してもよい。台座５１は、取付面部５２と、側部５３とを有する。台座５１の取付面部５２は、長尺の平板状に形成されており、照射側の面である表面には、発光部６０が取り付けられる。また、器具側の面である裏面には、制御部取付部５２３を介して電源装置等の制御部７３が取り付けられる。
【００７２】
図５に示すように、台座５１の取付面部５２には、ネジ孔５２０が形成されている。ネジ孔５２０は、取付面部５２の長手方向Ｘの両端部に形成されている。このネジ孔５２０には、台座固定具５４を台座５１に固定するための固定ネジ７２が挿入される。取付面部５２には、給電線７７等を通過させる切り欠き部５２１が形成されている。切り欠き５２１部は、取付面部５２の長手方向Ｘの両端部において、取付面部５２の縁部に形成されている。
【００７３】
台座５１の側部５３は、取付面部５２の短手方向Ｙの両端部分から照射側に折り曲げられた立設部分である。側部５３は、取付面部５２の長手方向Ｘに沿って取付面部５２の縁部から立設していることで、台座５１の剛性を向上させる。本実施の形態では、側部５３は、制御部７３等が配置される器具側だけに立設させている。しかし、側部５３は、発光部６０が配置される照射側だけに立設させてもよく、あるいは、照射側及び器具側の両方に立設させてもよい。また、本実施の形態では、側部５３は、取付面部５２の短手方向Ｙの両端部分に立設させているが、たとえば、取付面部５２の短手方向Ｙにおける中央部分等、両端部分以外の位置に立設させてもよい。
【００７４】
台座固定具５４は、台座５１の長手方向Ｘの両端部分に配置されており、透光性カバー３０の両端部に取り付けられる連結部材４４及び連結具８を取付部材５０に固定させるための部材である。台座固定具５４は、端部蓋４０を貫通した状態で連結部材４４及び連結具８と固定される。ここで、本実施の形態では、台座固定具５４は台座５１と別部材で構成されているが、台座固定具５４の構成は、当該構成に限定するものではない。たとえば、台座５１の両端部分を折り曲げる等して、台座５１と台座固定具５４とを一体に形成し、台座５１が台座固定具５４と同じ機能をもつ部分を有するようにしてもよい。本実施の形態では、台座固定具５４は、固定ネジ７２等の固定部材を用いて台座５１に取り付けられる。
【００７５】
台座固定具５４は、取付部５５と、固定部５６とを有しており、板金を折り曲げて製造している。なお、台座固定具５４は、金具であるが、金具に限定するものではなく、例えば、樹脂、セラミック等、他の材料を用いて形成されてもよく、また、押出成形、積層造形等、他の方法で形成されたものでもよい。
【００７６】
台座固定具５４の取付部５５は、台座５１に取り付けられる部分であり、図５に示すように、固定ネジ７２等の固定部材を用いて台座５１の両端部分に固定される。取付部５５は、例えば、カシメ、溶着（溶接）又は嵌着（係着）等の方法で台座５１と構造的に一体化されてもよい。
【００７７】
台座固定具５４の固定部５６は、連結部材４４の連結部材第２固定部４６と共に端部蓋４０と封止具４３とを挟持する。すなわち、透光性カバー３０と、封止具４３と、端部蓋４０と、連結部材４４とが組み合わされた状態において、固定部５６と連結部材４４の連結部材第２固定部４６との間には、封止具４３が配置されている。固定部５６には、ボス部５７が設けられている。
【００７８】
ボス部５７は、固定部５６に設けられた柱状の突起である。ボス部５７は、例えば、カシメ、溶着（溶接）又は嵌着（係着）等の方法によって固定部５６に取り付けられている。ボス部５７には、固定ネジ７１がねじ込まれるネジ孔５８が形成されている。ネジ孔５８の内周側には、ネジ溝が形成されている。そして、連結具８の外側から、固定ネジ挿通孔８２１、固定ネジ挿通孔４６０、第２端部カバー４２の端部カバー挿通部４２１、第１端部カバー４１の第１カバー貫通孔４１１及び封止具４３のネジ挿通孔４３４に固定ネジ７１が挿通される。そして固定ネジ７１が、ボス部５７のネジ孔５８にねじ込まれて、連結具８及び連結部材４４が取付部材５０の台座固定具５４に固定される。連結具８及び連結部材４４が固定されるのは、台座固定具５４のボス部５７である。
【００７９】
（発光部６０）
発光部６０は、図４に示すように、発光素子６１、基板６２等を有している。発光素子６１は、灯具３の光源であり電力供給により発光する。本実施の形態では、発光素子６１として、発光ダイオード（Ｌｉｇｈｔ  Ｅｍｉｔｔｉｎｇ  Ｄｉｏｄｅ；以下、ＬＥＤと称す）素子を用いている。発光素子６１は、例えば、基板６２の実装面に、長手方向Ｘに沿って、列状、千鳥状等に実装される。本実施の形態の発光素子６１は、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。ここで、発光素子６１が出射する光は、光束値が最大であり、発光面に垂直な光軸に対して、対称に照射角αだけ広がる。発光素子６１の照射角αは、例えば、１２０度であるものとする。発光素子６１は、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）、無機ＥＬ等を用いてもよい。基板６２は、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板等が用いられる。
【００８０】
制御部７３は、電源装置であり、外部から供給される電力から発光素子６１を点灯させる電力に変換して、発光素子６１に供給する。制御部７３は、制御部取付部５２３を介して台座５１の取付面部５２に取り付けられている。本実施の形態では、制御部７３は、前述したように、台座５１の取付面部５２の裏面に、ネジ（図示は省略）等の固定部材を用いて取り付けられた状態で、発光素子６１等と共に筒状の透光性カバー３０に収容されている。ただし、制御部７３は、灯具３ではなく、灯具３の外部に設けられてもよい。この場合、電線は、制御部７３から発光素子６１に供給される電力の供給経路として機能する給電線となる。本実施の形態における電源線７４、接地線７５及び制御線７６等の電線は、一端は制御部７３に接続される。そして、他端は、灯具３の外部に設けられている端子台（図示は省略）に接続される。
【００８１】
＜灯具３の組み立て＞
灯具３の組み立てに際して、通常は、まず、封止具４３を透光性カバー３０の端部３６に取り付け、その後に、封止具４３を間に挟むようにして端部蓋４０を透光性カバー３０の端部３６に取り付ける順序が一般的である。例えば、灯具３を組み立てる際に、端部蓋４０に嵌め込まれた封止具４３は外れ難いため、灯具３は、組み立て性を損なうことなく、順序を変更して組み立てることも可能である。灯具３を組み立てる際の、封止具４３の装着（嵌め込み）の方法と手順とは、選択肢が増えるので、灯具３は、様々な手順によって組み立てることができる。
【００８２】
＜連結具８＞
次に、図１、図２及び図５を用いて連結具８について説明する。上述したように照明装置１は、灯具３と、連結具８とを有する。連結具８は、灯具３を造営部９に連結する連結ユニットである。造営部９は、例えば、レースウェイ９０である。連結具８は、吊ボルト９２に対応した位置に配置され固定具によって吊ボルト９２と連結される連結部８３を有し、灯具３と造営部９との間に配置されるように灯具３に取り付けられる。本実施の形態では、連結具８は、図１及び図２に示すように、灯具３の長手方向Ｘの両端に取り付けられる２つの端部連結具８０を有する。
【００８３】
（端部連結具８０）
端部連結具８０は、長尺状に形成された灯具３の長手方向Ｘにおける両端部にそれぞれ取り付けられる。端部連結具８０は、図５に示すように、連結具第１固定部８１と、連結具第２固定部８２と、連結部８３とを有する。端部連結具８０は、連結具８の第１連結具である。端部連結具８０は、連結具第２固定部８２の上下端縁部、すなわち、連結具第２固定部８２の上下方向Ｚにおける両端縁部から、連結具第１固定部８１と連結部８３とが並行するように連結具第１固定部８１と連結部８３とを同じ向きに屈曲させている。連結具第１固定部８１は、連結具第２固定部８２の下縁部から立ち上がるように形成されており、連結部８３は、連結具第２固定部８２の上縁部から立ち上がるように形成されている。連結具第１固定部８１が立ち上がる方向の長さは、連結部８３が立ち上がる方向の長さよりも長い。そのため、端部連結具８０は、側面視において概略コの字形状に形成されている。換言すれば、端部連結具８０は、側面視において横倒しした概略Ｊの字形状に形成されている。端部連結具８０は、後述する連結部８３の連結部主部８３０と、連結具第１固定部８１の第１固定部主部８１０とが対向しているが、連結部主部８３０の面積は、第１固定部主部８１０の面積よりも大きい。
【００８４】
（連結具第１固定部８１）
連結具第１固定部８１は、連結部材第１固定部４５に形成された固定具挿通部４５１に挿通され、第１固定部主部８１０に設けられたネジ孔８１１にねじ込まれる固定具４８によって、連結部材第１固定部４５に固定される。連結具第１固定部８１は、第１固定部主部８１０と、固定端部屈曲部８１２とを有している。
【００８５】
第１固定部主部８１０は、板状の部材である。第１固定部主部８１０は、連結部材４４の連結部材第１固定部４５と当接する部分である。第１固定部主部８１０は、固定具４８によって連結部材４４の連結部材第１固定部４５とねじ止めされると連結部材第１固定部４５と密着する。第１固定部主部８１０には、固定具４８がねじ込まれるネジ孔８１１が形成されている。ネジ孔８１１は、第１固定部主部８１０において、灯具３の長手方向Ｘにおける両端に取り付けられている連結部材４４の固定具挿通部４５１と対応する位置に形成されている。ネジ孔８１１には、固定具４８の胴部４８１が挿通される。
【００８６】
固定端部屈曲部８１２は、連結具第１固定部８１の第１固定部主部８１０の長手方向Ｘにおける端縁部から連結具第２固定部８２と同じ上向きに屈曲させた屈曲片である。固定端部屈曲部８１２は、第１固定部主部８１０を介して、連結具第２固定部８２の第２固定部主部８２０と対向している。固定端部屈曲部８１２は、連結具８の剛性あるいは強度を向上させる。なお、固定端部屈曲部８１２は、連結具８の必須の構成要素ではない。連結具８に固定端部屈曲部８１２を設けるか否かは任意である。
【００８７】
（連結具第２固定部８２）
連結具第２固定部８２は、台座固定具５４のボス部５７に設けられたネジ孔５８にねじ込まれる固定ネジ７１によって、連結部材４４と共に台座固定具５４に固定される。連結具第２固定部８２が台座固定具５４に固定された状態では、連結具第２固定部８２と台座固定具５４との間には、連結部材４４、端部蓋４０及び封止具４３が挟まれている。連結具第２固定部８２の高さ寸法、すなわち、連結具第２固定部８２の上下方向Ｚの長さ寸法は、照明装置１が造営部９であるレースウェイ９０に取り付けられた状態で、連結部８３がレースウェイ９０と当接できる寸法に設定される。このようにして、係合部４７及びカバー電線保持部４１６といった突起部とレースウェイ９０とが干渉することなく灯具３はレースウェイ９０に連結することができる。連結具第２固定部８２は、第２固定部主部８２０を有する。
【００８８】
第２固定部主部８２０は、第１固定部主部８１０の縁部から立ち上がる板状の部材である。第２固定部主部８２０は、連結部材４４の連結部材第２固定部４６と当接する部分である。第２固定部主部８２０は、固定ネジ７１によって台座固定具５４にねじ止めされると連結部材４４の連結部材第２固定部４６と密着する。第２固定部主部８２０には、固定ネジ７１が挿通される固定ネジ挿通孔８２１と、電源線７４等の電線が挿通可能な電源線挿通孔８２２とが形成されている。
【００８９】
固定ネジ挿通孔８２１は、第２固定部主部８２０において、灯具３の長手方向Ｘにおける両端に取り付けられている連結部材４４の固定ネジ挿通孔４６０と対応する位置に形成されている。固定ネジ挿通孔８２１には、固定ネジ７１が挿通される。電源線挿通孔８２２は、第２固定部主部８２０において、灯具３の長手方向Ｘにおける両端に取り付けられている連結部材４４の端部スリット４７１１と対応する位置に形成されている。電源線挿通孔８２２には、電源線７４等の電線が挿通される。
【００９０】
（連結部８３）
連結部８３は、造営部９であるレースウェイ９０に連結される部分である。端部連結具８０が灯具３に取り付けられた状態において、連結部８３は、灯具３の長手方向Ｘにおける両端部よりも外側に配置される。連結部８３は、連結部主部８３０と、連結端部屈曲部８３２と、連結側部屈曲部８３３とを有する。
【００９１】
連結部主部８３０は、第２固定部主部８２０の縁部から立ち上がる板状の部材である。連結部主部８３０は、上述したように、第１固定部主部８１０と対向する。連結部主部８３０は、図２に示すように照明装置１の両端部に設けられており、灯具３の長手方向Ｘにおいて、灯具３から突出するように形成されている。照明システム１００は、照明装置１が造営部９であるレースウェイ９０に取り付けられた状態で、連結部主部８３０の上面がレースウェイ９０の下面と当接してもよく、連結部主部８３０の上面がレースウェイ９０の下面と当接しなくてもよい。連結部８３の連結部主部８３０には、造営部９であるレースウェイ９０等から垂下する吊ボルト９２が挿通されるボルト挿通孔８３１が形成されている。ボルト挿通孔８３１は、連結部８３に形成された連結ボルト挿通孔である。ボルト挿通孔８３１は、灯具３の長手方向Ｘに沿って複数形成されている。
【００９２】
ボルト挿通孔８３１には、造営部９であるレースウェイ９０等から垂下する吊ボルト９２が挿通される。ボルト挿通孔８３１の孔の形状は、丸形、楕円形、角形、スリット形、及びこれらを組み合わせた形等を採用することができる。ボルト挿通孔８３１の形成位置は、限定されるものではないが、照明装置１の長手方向Ｘにおいて、灯具３よりも外側に位置するように形成されると作業者が、照明装置１を造営部９に取り付ける際に取り付け易くなる。換言すると、ボルト挿通孔８３１の形成位置が、照明装置１の長手方向Ｘにおいて、端部蓋４０のカバー端面部４１７よりも外側に位置するように形成されると、作業者が照明装置１を造営部９に取り付ける際に取り付け易くなる。
【００９３】
連結端部屈曲部８３２は、連結部８３の連結部主部８３０の長手方向Ｘにおける端縁部から連結具第２固定部８２と同じ下向きに屈曲させた屈曲片である。連結端部屈曲部８３２は、連結部主部８３０を介して、連結具第２固定部８２の第２固定部主部８２０と対向している。連結端部屈曲部８３２は、連結部８３の剛性あるいは強度を向上させる。なお、連結端部屈曲部８３２は、連結具８の必須の構成要素ではない。連結具８に連結端部屈曲部８３２を設けるか否かは任意である。
【００９４】
連結側部屈曲部８３３は、連結部８３の連結部主部８３０の短手方向Ｙにおける側縁部から連結具第２固定部８２と同じ下向きに屈曲させた屈曲片である。連結側部屈曲部８３３は、連結部８３の剛性あるいは強度を向上させる。なお、連結側部屈曲部８３３は、連結具８の必須の構成要素ではない。連結具８に連結側部屈曲部８３３を設けるか否かは任意である。
【００９５】
＜造営部９＞
図６は、本発明の実施の形態１に係る照明システム１００の一端側の端面図である。図７は、本発明の実施の形態１に係る照明システム１００の側面図である。図８は、本発明の実施の形態１に係る照明システム１００の下面図である。なお、図６では、造営部９と照明装置１との関係を説明するために、連結端部屈曲部８３２の一部を切り欠いて図示している。上述のように、照明システム１００は、照明装置１と、造営部９と、を有する。次に、図６から図８を用いて造営部９について説明する。
【００９６】
本実施の形態では、造営部９は、レースウェイ９０と、吊ボルト９２と、連結ナット９３と、連結ワッシャ９４とを有する。レースウェイ９０は、照明装置１等の電気設備、及び、電気設備への給電経路となる電線等の配線材を支持するために用いられる所謂電設資材である。レースウェイ９０は、金属製の板材を折り曲げて形成される。なお、レースウェイ９０の材料は金属に限定するものではなく、樹脂等他の材料から形成されてもよい。レースウェイ９０は、基板部９０ａと、一対の側壁部９０ｂと、一対の先端爪部９０ｃとを有している。基板部９０ａは、長尺かつ平板状に形成されている。一対の側壁部９０ｂは、基板部９０ａの短手方向Ｙの両端から立ち上がるように形成されている。一対の側壁部９０ｂは、基板部９０ａの長手方向Ｘの側縁部に沿って形成されている側壁である。一対の側壁部９０ｂは、それぞれ対向するように形成されている。一対の側壁部９０ｂの立ち上がり方向の先端部にはそれぞれ、先端爪部９０ｃが形成されている。先端爪部９０ｃは、側壁部９０ｂの先端部に鉤状に形成されている。
【００９７】
吊ボルト９２は、照明装置１等の電気設備をレースウェイ９０に支持するために用いられるボルトであり、レースウェイ９０に取り付け可能な所謂電設備品である。吊ボルト９２は、造営部９が有する連結ボルトである。吊ボルト９２は、ボルト係止具９２０を有する。ボルト係止具９２０は、吊ボルト９２をレースウェイ９０に取り付けるための所謂電設備品で、一般には吊ボルト９２に付属する。連結ナット９３は、端部連結具８０の連結部８３を吊ボルト９２に固定する固定具である。連結ナット９３は、連結部８３の連結部主部８３０との間に連結ワッシャ９４を挟んだ状態で吊ボルト９２にねじ込まれて羅着される。連結ナット９３は、吊ボルト９２のネジ部の仕様に対応した汎用品を使用することができる。連結ワッシャ９４は、連結ナット９３の緩みを防止する等の目的で、連結部８３の連結部主部８３０と連結ナット９３との間に配置される。なお、連結ワッシャ９４は、造営部９の必須の構成要素ではなく、連結ワッシャ９４の使用は任意である。連結ワッシャ９４は、吊ボルト９２及び連結ナット９３の仕様に対応した汎用品を使用することができる。
【００９８】
＜灯具３のレースウェイ９０への装着概要＞
照明システム１００は、灯具３を収容する後述する照明器具２を用いることなく、簡素かつ安価な構成である連結具８を用いて灯具３を造営部９であるレースウェイ９０に連結することができる。照明装置１は、造営部９の一例であるレースウェイ９０から垂下する吊ボルト９２に灯具３を装着するために、灯具３の長手両端に取り付けられる連結具８を用いる。レースウェイ９０から垂下する吊ボルト９２は、レースウェイ９０に沿って滑動可能であり、吊ボルト９２の間隔を灯具３の寸法に合わせることができる。また、レースウェイ９０から垂下する吊ボルト９２は、レースウェイ９０に沿って滑動可能であり、灯具３の装着位置をレースウェイ９０に沿って自在に変更することができる。
【００９９】
図６に示すように、ボルト係止具９２０に吊ボルト９２が挿通された状態で、ボルト係止具９２０は、レースウェイ９０の先端爪部９０ｃの上方に配置され、先端爪部９０ｃと係合する。このとき、吊ボルト９２のネジ切りされた本体部分は、ボルト係止具９２０の下方から突出すると共にレースウェイ９０の下方に突出する。そして、吊ボルト９２のネジ切りされた本体部分は、連結具８の連結部主部８３０に形成されたボルト挿通孔８３１に挿通され、吊ボルト９２のネジ切りされた本体部分には、連結部主部８３０の下方に配置された連結ナット９３がねじ込まれて羅着される。連結具８は、連結ナット９３によって、連結具８の連結部主部８３０が支持される。また、照明装置１は、連結ナット９３によって、灯具３に取り付けられた連結具８の連結部主部８３０が支持されることで、造営部９であるレースウェイ９０から吊り下げられて支持される。照明装置１は、端部蓋４０から電源線７４、接地線７５及び制御線７６等の電線が引き出されている。
【０１００】
図９は、図７の照明システム１００のＢ−Ｂ線断面図である。なお、図９に示す点線矢印Ｌｕは、発光素子６１から発せられた光であって、透光性カバー３０の内周部３８で反射された光の方向を示すものである。灯具３は、発光部６０の発光素子６１から発せられた光が、透光性カバー３０を透過すると共に、図９に示すように、一部の光が透光性カバー３０の内周部３８で反射する。灯具３は、内周部３８で反射した光が、灯具３の側方及び上方に進み、灯具３の側方及び上方の壁を構成する透光性カバー３０を透過して、灯具３の側方及び上方に発せられる。したがって、照明システム１００は、造営部９の側にも光を照射することができ、照明空間全体の明るさ感を改善することができる。
【０１０１】
＜変形例＞
照明装置１は、灯具３の連結部材４４が、連結具８の機能を兼ね備えるように形成されてもよい。より詳細には、照明装置１は、灯具３の連結部材４４が、２つの端部連結具８０の機能を兼ね備えるように形成されてもよい。
【０１０２】
造営部９は、連結ナット９３及び連結ワッシャ９４に代えて、吊ボルト９２の先端にフック等を羅着して、このフック等をボルト挿通孔８３１に挿通させ連結部８３と嵌着、あるいは係着するように構成してもよい。このフックは、端部連結具８０の連結部８３を吊ボルト９２に固定する固定具である。
【０１０３】
さらに、連結具８は、連結部８３が必ずしもボルト挿通孔８３１を備える必要はない。照明システム１００は、例えば、吊ボルト９２にねじ込まれて羅着されるフック等が、連結部８３を抱え込んで係着するように構成されてもよいし、あるいは、吊ボルト９２にねじ込まれて羅着されるクランプ等が、連結部８３の全体または一部を挟み込んで締め付けるように構成されてもよい。このフックあるいはクランプは、端部連結具８０の連結部８３を吊ボルト９２に固定する固定具である。
【０１０４】
造営部９は、フックあるいはクランプを吊ボルト９２の一部として一体に形成されてもよく、この場合は、端部連結具８０の連結部８３が固定具の機能を備えた吊ボルト９２に直接固定される構成となる。
【０１０５】
また、クランプを端部連結具８０の一部として一体に形成し、クランプが吊ボルト９２を挟み込んで締め付けるように構成してもよい。この場合は、固定具の機能を備えた端部連結具８０が吊ボルト９２に直接固定される構成となる。クランプは、例えば、端部連結具８０の連結部８３に形成することができる。
【０１０６】
＜作用効果＞
照明装置１は、吊ボルト９２に対応した位置に配置され固定具によって吊ボルト９２と連結される連結部８３を有し、灯具３と造営部９との間に配置されるように灯具３に取り付けられる端部連結具８０を備えている。そのため、照明装置１は、後述する実施の形態３に示すような、灯具３を収容する照明器具２に取り付けられることによって照明装置１ｂを構成することができる灯具３と、簡易な構成である連結具８とを組み合わせることによって構成することができる。すなわち、照明装置１は、灯具３を収容する照明器具２を用いなくても造営部９であるレースウェイ９０に取り付けられた吊ボルト９２に対して灯具３を直接連結することができる。その結果、照明装置１は、灯具３を造営部９であるレースウェイ９０に連結する際に、灯具３を収容する冗長な構成である照明器具２を用いる必要がないので、作業者は、造営部９への照明装置１の取り付けが容易となり、施工時間及び施工費用が改善される。また、照明装置１は、後述する照明装置１ａ及び照明装置１ｂと灯具３の共通化を図ることができる。そして、灯具３及び灯具３を用いる照明装置１は、灯具３及び灯具３を用いる照明装置１に関する開発、製造、物流、在庫の効率を向上させることができる。また、造営部９は、施工に際して、汎用の吊ボルト９２、連結ナット９３及び連結ワッシャ９４を使用することができるので照明システム１００は、利便性と経済性とに優れている。また、灯具３を収容する照明器具２のように灯具３は連結具８に収納されることがないので、造営部９の側にも光を照射することができ、照明空間全体の明るさ感を改善することができる。
【０１０７】
また、端部連結具８０は、長尺状に形成された灯具３の長手方向Ｘにおける両端部にそれぞれ取り付けられる。すなわち、灯具３は、長手方向Ｘにおける両端部において端部連結具８０によって造営部９に取り付けられる。そのため、灯具３は、安定した状態で造営部９の吊ボルト９２によって支持される。
【０１０８】
また、連結部８３は、灯具３の長手方向Ｘにおける両端部よりも外側に配置されている。すなわち、灯具３は、長手方向Ｘにおける両端部において端部連結具８０によって造営部９に取り付けられる。そのため、灯具３は、安定した状態で造営部９の吊ボルト９２によって支持される。また、連結部８３は、灯具３の長手方向Ｘにおける両端部よりも外側に配置されているため、作業者が、吊ボルト９２と連結部８３との連結作業を行い易い。
【０１０９】
また、ボルト挿通孔８３１は、灯具３の長手方向Ｘに沿って複数形成されている。そのため、複数形成されたボルト挿通孔８３１に２本以上の吊ボルト９２を挿通させることができ、造営部９は、少なくとも２箇所で灯具３を支持することができる。そのため、灯具３は、安定した状態で造営部９の吊ボルト９２によって支持される。
【０１１０】
また、ボルト挿通孔８３１は、ボルト挿通孔８３１に挿通された吊ボルト９２が灯具３の長手方向Ｘに沿って滑動自在となるように、灯具３の長手方向Ｘに沿って長孔形状に形成されている。そのため、レースウェイ９０から垂下する吊ボルト９２は、レースウェイ９０に沿って滑動可能であり、吊ボルト９２の間隔を灯具３の寸法に合わせることができる。また、レースウェイ９０から垂下する吊ボルト９２は、レースウェイ９０に沿って滑動可能であり、灯具３の装着位置をレースウェイ９０に沿って自在に変更することができる。
【０１１１】
また、連結具８は、造営部９に設けられた吊ボルト９２に取り付けられる照明装置用の連結具である。そして、連結具８は、吊ボルト９２に対応した位置に配置され固定具によって吊ボルト９２と連結される連結部８３を有し、灯具３と造営部９との間に配置される。そのため、照明装置１は、後述する実施の形態３に示すような、灯具３を収容する照明器具２に取り付けられることによって照明装置１ｂを構成することができる灯具３と、簡易な構成である連結具８とを組み合わせることによって構成することができる。すなわち、照明装置１は、灯具３を収容する照明器具２を用いなくても造営部９であるレースウェイ９０に取り付けられた吊ボルト９２に対して灯具３を直接連結することができる。その結果、照明装置１は、灯具３を造営部９であるレースウェイ９０に連結する際に、灯具３を収容する冗長な構成である照明器具２を用いる必要がないので、作業者は、造営部９への照明装置１の取り付けが容易となり、施工時間及び施工費用が改善される。また、照明装置１は、後述する照明装置１ａ及び照明装置１ｂと灯具３の共通化を図ることができる。そして、灯具３及び灯具３を用いる照明装置１は、灯具３及び灯具３を用いる照明装置１に関する開発、製造、物流、在庫の効率を向上させることができる。また、造営部９は、施工に際して、汎用の吊ボルト９２、連結ナット９３及び連結ワッシャ９４を使用することができるので照明システム１００は、利便性と経済性とに優れている。また、灯具３を収容する照明器具２のように灯具３は連結具８に収納されることがないので、造営部９の側にも光を照射することができ、照明空間全体の明るさ感を改善することができる。
【０１１２】
連結ナット９３及び連結ワッシャ９４に代えて、フック、クランプ等の固定具を用いることによって、作業者は、連結作業を行い易くなる。
【０１１３】
そして、固定具の機能を備えた吊ボルト９２あるいは端部連結具８０を用いることによって、固定具を準備したり固定具を吊ボルト９２あるいは端部連結具８０に取り付けたりする必要がなくなるため、作業者は、造営部９への照明装置１の取り付けが容易となり、施工時間及び施工費用が改善される。
【０１１４】
実施の形態２．
＜照明システム１００ａ＞
図１０は、本発明の実施の形態２に係る照明システム１００ａの分割斜視図である。図１１は、本発明の実施の形態２に係る照明システム１００ａの分割側面図である。図１０及び図１１を用いて、照明システム１００ａについて説明する。図１〜図９の照明システム１００と同一の構成を有する部位には同一の符号を付してその説明を省略する。本発明の実施の形態２に係る照明システム１００ａで特に記述しない項目については、実施の形態１に係る照明システム１００と同様とし、同一の機能及び構成については同一の符号を用いて述べることとする。照明システム１００ａは、照明装置１ａと、造営部９ａと、を有する。照明装置１ａは、造営部９ａに設けられた吊ボルト９２ａに直接装着されることで、造営部９ａから吊り下げられて造営部９ａに支持される。
【０１１５】
＜照明装置１ａの構成＞
図１２は、本発明の実施の形態２に係る照明装置１ａの分解斜視図である。図１２を参照して、実施の形態２に係る照明装置１ａの構成を説明する。照明装置１ａは、図１２に示すように、光を発する灯具３と、灯具３を造営部９ａに連結させる連結具８ａとを有する。照明装置１ａは、造営部９ａに設けられた吊ボルト９２ａに取り付けられる。なお、灯具３の構成は、実施の形態１に係る照明装置１と同じである。
【０１１６】
＜連結具８ａ＞
図１３は、本発明の実施の形態２に係る照明装置１ａの詳細な構成を説明する斜視図である。次に、図１０から図１３を用いて連結具８ａについて説明する。連結具８ａは、灯具３を造営部９ａに連結する連結ユニットである。造営部９ａは、例えば、天井９１である。連結具８ａは、吊ボルト９２に対応した位置に配置され固定具によって吊ボルト９２と連結される連結部８５を有し、灯具３と造営部９との間に配置されるように灯具３に取り付けられる。本実施の形態では、連結具８ａは、灯具３の長手方向Ｘの両端に取り付けられる２つの端部連結具８０と、２つの端部連結具８０に取り付けられる中央部連結具８４と、固定ボルト８７と、固定ナット８８と、固定ワッシャ８９とを有する。
【０１１７】
（端部連結具８０）
端部連結具８０は、長尺状に形成された灯具３の長手方向Ｘにおける両端部にそれぞれ取り付けられる。端部連結具８０は、図１３に示すように、連結具第１固定部８１と、連結具第２固定部８２と、連結部８３とを有する。端部連結具８０は、連結具８の第１連結具である。端部連結具８０は、連結具第２固定部８２の上下端縁部、すなわち、連結具第２固定部８２の上下方向Ｚにおける両端縁部から、連結具第１固定部８１と連結部８３とが並行するように連結具第１固定部８１と連結部８３とを同じ向きに屈曲させている。
【０１１８】
（連結部８３）
端部連結具８０が灯具３に取り付けられた状態において、連結部８３は、灯具３の長手方向Ｘにおける両端部よりも外側に配置される。本実施の形態では、連結部８３は、第２連結具である中央部連結具８４に固定される部分である。より詳細には、連結部８３は、後述する固定部８６の段差部である底部８６３に固定される。連結部８３は、連結部主部８３０と、連結端部屈曲部８３２と、連結側部屈曲部８３３とを有する。なお、連結端部屈曲部８３２は、連結具８ａの必須の構成要素ではない。連結具８ａに連結端部屈曲部８３２を設けるか否かは任意である。また、連結側部屈曲部８３３は、連結具８ａの必須の構成要素ではない。連結具８ａに連結側部屈曲部８３３を設けるか否かは任意である。
【０１１９】
連結部主部８３０は、上述したように第２固定部主部８２０の縁部から立ち上がる板状の部材である。連結部主部８３０は、上面が第２連結具である中央部連結具８４に設けられる固定部８６の、底部８６３の下面と当接する。連結部主部８３０には、連結部８３と第２連結具である中央部連結具８４とを固定するための固定ボルト８７が挿通されるボルト挿通孔８３１が形成されている。
【０１２０】
ボルト挿通孔８３１には、連結部８３と第２連結具である中央部連結具８４とを固定するための固定ボルト８７が挿通される。ボルト挿通孔８３１の孔の形状は、丸形、楕円形、角形、スリット形、これらを組み合わせた形等を採用できる。連結部主部８３０において、ボルト挿通孔８３１の形成位置は、限定されるものではない。しかし、照明装置１の長手方向Ｘにおいて、ボルト挿通孔８３１が灯具３よりも外側に位置するように形成されていると、作業者が、連結具８ａの第１連結具である端部連結具８０を連結具８ａの第２連結具である中央部連結具８４に取り付け易い。
【０１２１】
（中央部連結具８４）
中央部連結具８４は、連結具８ａの第２連結具であり、長尺状に形成された連結具である。中央部連結具８４は、固定ボルト８７、固定ナット８８、固定ワッシャ８９を用いて、灯具３の両端に取り付けられた連結具８ａの第１連結具である端部連結具８０に取り付けられる。中央部連結具８４は、長手方向Ｘに沿った端面視において下方に開口が形成された概略コの字形状に形成されている。中央部連結具８４は、金属製の板材を折り曲げて形成される。なお、中央部連結具８４の材料は金属に限定するものではなく、樹脂等他の材料から形成されてもよい。中央部連結具８４は、長尺状に形成された連結部８５と、連結部８５の長手方向Ｘの両端部に設けられた固定部８６とを有する。
【０１２２】
（連結部８５）
連結部８５は、連結具８ａの第２連結具である中央部連結具８４を、連結ボルトである吊ボルト９２ａに連結する構成である。中央部連結具８４が、第１連結具である端部連結具８０を介して灯具３に取り付けられた状態において、連結部８５は、灯具３の長手方向Ｘにおける両端部よりも内側で吊ボルト９２ａと連結する。連結部８５は、連結部主部８５０と、連結部側部である一対の連結側部屈曲部８５２とを有している。連結部主部８５０は、長尺かつ平板状に形成されている。一対の連結側部屈曲部８５２は、連結部主部８５０の短手方向Ｙの両端から立ち上がるように形成されている。一対の連結側部屈曲部８５２は、連結部主部８５０の長手方向Ｘの側縁部に沿って形成されている側壁である。一対の連結側部屈曲部８５２は、それぞれ対向するように形成されている。
【０１２３】
連結部主部８５０は、照明システム１００ａにおいて、造営部９ａである天井９１と対向する。連結部主部８５０は、照明システム１００ａにおいて、固定部材８６１、あるいは、リベット８６６と天井９１との干渉を防ぐために、造営部９である天井９１との間に若干の隙間が設けられた状態で配置される。連結部主部８５０には、連結ボルト挿通孔である吊ボルト挿通孔８５１が形成されている。
【０１２４】
吊ボルト挿通孔８５１には、造営部９ａである天井９１を貫通して垂下する連結ボルトである吊ボルト９２ａが挿通される。吊ボルト挿通孔８５１の孔の形状は、丸形、楕円形、角形、スリット形及びこれらを組み合わせた形等を採用することができる。本実施の形態では、図１２に示すように、４つの長尺の吊ボルト挿通孔８５１が形成されているが、吊ボルト挿通孔８５１を複数個所に分けて形成する場合には、２以上の任意の数の吊ボルト挿通孔８５１が連結部主部８５０に形成されていればよい。また、連結ボルト挿通孔である吊ボルト挿通孔８５１は、連結部主部８５０の長手方向Ｘに沿って１つの長尺の孔として形成されてもよい。すなわち、吊ボルト挿通孔８５１は、吊ボルト挿通孔８５１に挿通された吊ボルト９２ａが灯具３の長手方向Ｘに沿って滑動自在となるように、灯具３の長手方向Ｘに沿って長孔形状に形成されてもよい。なお、連結部主部８５０に複数の吊ボルト挿通孔８５１が形成されている場合には、各孔が長尺の孔として形成されてもよく、任意の孔が長尺の孔として形成されてもよい。
【０１２５】
連結側部屈曲部８５２は、連結部主部８５０の短手方向Ｙにおける両端部分から光の照射側に折り曲げられた立設部分である。連結側部屈曲部８５２は、連結部主部８５０の長手方向Ｘに沿って連結部主部８５０の側縁部から立設していることで、第２連結具である中央部連結具８４の剛性を向上させる。連結側部屈曲部８５２は、光の照射側の先端部分がカール状に処理されている。連結側部屈曲部８５２の先端部分の形状は、内曲げでもよく、外曲げでもよい。連結側部屈曲部８５２の短手方向Ｙにおける間隔は、第１連結具である端部連結具８０の短手方向Ｙにおける最大寸法より大きく形成されている。なお、端部連結具８０の短手方向Ｙにおける最大寸法とは、互いに並行（対向）する連結側部屈曲部８５２同士の最大幅寸法である。また、連結側部屈曲部８５２の短手方向Ｙにおける間隔は、灯具３が第２連結具である中央部連結具８４の側に近づけて連結される場合に、第１連結具である端部連結具８０と第２連結具である中央部連結具８４とが干渉しないように形成されている。
【０１２６】
（固定部８６）
固定部８６は、第２連結具である中央部連結具８４において、中央部連結具８４を第１連結具である端部連結具８０に固定するための構成である。固定部８６は、連結部主部８５０に形成された固定孔８６０と、固定孔８６０に係合する固定部材８６１と、固定部材８６１を連結部８５に固定するリベット８６６とを有する。
【０１２７】
固定孔８６０は、連結部主部８５０に形成された貫通孔であり、固定部材８６１が取り付けられる孔である。
【０１２８】
固定部材８６１は、段差部となる底部８６３が、連結部主部８５０よりも灯具３の側に配置されるように、連結部主部８５０の造営部９ａと対向する側から固定孔８６０に挿入される。固定部材８６１は、固定孔８６０に挿入されると、鍔部８６２が連結部主部８５０の上方に配置され、鍔部８６２が連結部主部８５０と当接して支持される。固定部８６において、底部８６３と連結部主部８５０との間には、段差が形成されている。固定部材８６１は、鍔部８６２と、段差部となる底部８６３と、固定部材８６１の側壁を形成する側部８６５とを有する。
【０１２９】
鍔部８６２は、側部８６５の上縁部において側部８６５から曲折して形成されており、側部８６５の外側に張り出すように形成されている。側部８６５から鍔部８６２が張り出す方向は、長手方向Ｘ、又は、短手方向Ｙの何れの方向でもよい。あるいは、側部８６５から鍔部８６２が張り出す方向は、長手方向Ｘ、及び、短手方向Ｙの両方でもよい。鍔部８６２は、固定部材８６１が固定孔８６０に挿入されると、連結部主部８５０に当接し、固定部材８６１が所定量を超えて固定孔８６０に挿入されないように固定部材８６１の固定孔８６０への挿入量を規制する。本実施の形態では、鍔部８６２は、リベット８６６等を用いて連結部主部８５０に固着される。なお、固定部８６は、リベット８６６等の部材を用いずに、固定部材８６１を連結部８５に係着させる構造、あるいは、嵌着させる構造としてもよい。
【０１３０】
底部８６３は、板状の部材であり、固定部８６の段差部である。底部８６３には、第２連結具である中央部連結具８４を第１連結具である端部連結具８０に取り付けるための固定ボルト８７が挿通される固定ボルト挿通孔８６４が形成されている。照明システム１００ａにおいて、底部８６３の上下方向Ｚにおける位置は、固定ボルト８７が造営部９ａである天井９１と干渉しないように決定される。また、照明システム１００ａにおいて、底部８６３の上下方向Ｚにおける位置は、固定ボルト８７が灯具３と干渉しないように決定される。さらに、照明システム１００ａにおいて、底部８６３の上下方向Ｚにおける位置は、吊ボルト９２ａが灯具３と干渉しないように決定される。
【０１３１】
固定ボルト挿通孔８６４には、連結具８ａの第２連結具である中央部連結具８４を、連結具８ａの第１連結具である端部連結具８０に取り付けるための固定ボルト８７が挿通される。固定ボルト挿通孔８６４の孔の形状は、丸形、楕円形、角形、スリット形、及びこれらを組み合わせた形等を採用することができる。
【０１３２】
側部８６５は、底部８６３の縁部から立ち上がるように形成されている。側部８６５は、固定部８６の側壁を構成し、側部８６５は、鍔部８６２と段差部である底部８６３とを繋ぐ接続部である。すなわち、側部８６５の上縁部には鍔部８６２が形成されており、側部の下縁部には底部８６３が形成されている。側部８６５は、上下方向Ｚに延びるように形成されており、側部８６５の上下方向Ｚの長さ寸法は、段差部である底部８６３の位置、深さ、あるいは、段差の大きさに依存する。
【０１３３】
リベット８６６は、固定部材８６１の鍔部８６２を連結部８５に固着させるために用いられる。なお、リベット８６６は、固定部８６の必須の構成要素ではない。固定部８６においてリベット８６６の使用は任意である。固定部８６は、リベット８６６等の部材を用いずに、固定部材８６１を連結部８５に係着させる構造、あるいは、嵌着させる構造としてもよい。なお、固定部８６は、連結部８５の一部にプレス、あるいは、絞り等の加工処理が施されることによって連結部８５と一体に形成されてもよい。
【０１３４】
（固定ボルト８７）
固定ボルト８７は、第２連結具である中央部連結具８４を、第１連結具である端部連結具８０に取り付けるために用いられている。固定ボルト８７は、汎用品（市販品）を使用することができる。
【０１３５】
（固定ナット８８）
固定ナット８８は、固定ボルト８７のネジ部の仕様に対応した汎用品（市販品）を使用することができる。
【０１３６】
（固定ワッシャ８９）
固定ワッシャ８９は、固定ナット８８の緩みを防止する等の目的で、第１連結具である端部連結具８０の連結部８３と、固定ナット８８との間に配置される。なお、固定ワッシャ８９は、連結具８ａの必須の構成要素ではない。連結具８ａにおいて、固定ワッシャ８９の使用は任意である。固定ワッシャ８９は、固定ボルト８７及び固定ナット８８の仕様に対応した汎用品（市販品）を使用することができる。
【０１３７】
＜造営部９ａ＞
図１４は、本発明の実施の形態２に係る照明システム１００ａの一端側の端面図である。図１５は、本発明の実施の形態２に係る照明システム１００ａの側面図である。図１６は、本発明の実施の形態２に係る照明システム１００ａの下面図である。なお、図１４では、造営部９ａと照明装置１ａとの関係を説明するために、連結端部屈曲部８３２の一部を切り欠いて図示している。上述のように、照明システム１００ａは、照明装置１ａと、造営部９ａと、を有する。次に、図１４から図１６を用いて造営部９ａについて説明する。
【０１３８】
本実施の形態では、造営部９ａは、天井９１と、吊ボルト９２ａと、連結ナット９３と、連結ワッシャ９４とを有する。天井９１は、照明空間の天井を構成する壁部である。
【０１３９】
吊ボルト９２ａは、所謂電設備品として、天井９１を貫通して照明空間に垂下している連結ボルトである。連結ナット９３は、中央部連結具８４の連結部８５を吊ボルト９２ａに固定する固定具である。連結ナット９３は、連結部８３の連結部主部８３０との間に連結ワッシャ９４を挟んだ状態で連結ボルトである吊ボルト９２ａにねじ込まれて羅着される。連結ナット９３は、吊ボルト９２ａのネジ部の仕様に対応した汎用品を使用することができる。連結ワッシャ９４は、連結ナット９３の緩みを防止する等の目的で、連結部８３の連結部主部８３０と連結ナット９３との間に配置される。なお、連結ワッシャ９４は、造営部９の必須の構成要素ではなく、連結ワッシャ９４の使用は任意である。連結ワッシャ９４は、吊ボルト９２ａ及び連結ナット９３の仕様に対応した汎用品を使用することができる。吊ボルト９２ａ、連結ナット９３及び連結ワッシャ９４は、連結具８ａではなく造営部９の構成である。
【０１４０】
＜灯具３の天井９１への装着概要＞
照明システム１００ａは、照明装置１ａを造営部９ａの一例である天井９１等に装着する実施例である。照明装置１ａは、灯具３を収容する後述する照明器具２を用いることなく、簡素かつ安価な構成である連結具８ａを用いて灯具３を造営部９ａである天井９１に連結することができる。照明装置１ａは、予め所定の間隔で天井９１等を貫通して垂下する吊ボルト９２ａに灯具３を装着するために、長尺連結具である中央部連結具８４を有する。中央部連結具８４は、光源ユニットである灯具３の背面側となる造営部側において、長手方向Ｘに渡って設けられ、灯具３の長手両端に取り付けられる。
【０１４１】
中央部連結具８４には、複数種類の様々な吊ボルト９２ａの間隔に対応した吊ボルト挿通孔８５１が形成されている。中央部連結具８４において、吊ボルト挿通孔８５１は個別に複数形成されても良いし、長尺状に繋がる１つの孔として形成されてもよい。中央部連結具８４において、吊ボルト９２ａの間隔が固定されている場合でも、複数のいずれかの吊ボルト挿通孔８５１を選択して光源ユニットである灯具３を吊ボルト９２ａに装着することができる。あるいは、中央部連結具８４において、長尺状の吊ボルト挿通孔８５１の任意の位置を選択して光源ユニットである灯具３を吊ボルト９２ａに装着することができる。また、照明システム１００ａは、光源ユニットである灯具３の装着位置を、吊ボルト９２ａの並列方向に沿って選択的あるいは自在に変更できる。
【０１４２】
連結具８ａは、第１連結具である端部連結具８０と、第２連結具である中央部連結具８４とを有する。図１２及び図１４に示すように、第２連結具である中央部連結具８４は、連結部８５と固定部８６とを有する。中央部連結具８４は、固定部８６の鍔部８６２が、連結部８５の連結部主部８５０にリベット８６６によって固定されている。そして、固定部８６の底部８６３と、第１連結具である端部連結具８０の連結部主部８３０とに固定ボルト８７が挿通されている。第２連結具である中央部連結具８４と、第１連結具である端部連結具８０とは、底部８６３と連結部主部８３０とに挿通された固定ボルト８７と、固定ボルト８７にねじ込まれて羅着された固定ナット８８とによって固定されている。
【０１４３】
また、吊ボルト９２ａは天井９１から下方に突出している。そして、吊ボルト９２のネジ切りされた本体部分は、中央部連結具８４の連結部主部８５０に形成された吊ボルト挿通孔８５１に挿通され、連結部主部８５０の下方に配置された連結ナット９３がねじ込まれて羅着される。連結具８ａの中央部連結具８４は、連結ナット９３によって、連結具８ａの連結部主部８５０が支持される。また、照明装置１ａは、連結ナット９３によって、灯具３に取り付けられた連結具８ａの連結部主部８５０が支持されることで、造営部９ａである天井９１から吊り下げられて支持される。照明装置１ａは、端部蓋４０から電源線７４、接地線７５及び制御線７６等の電線が引き出されている。
【０１４４】
実施の形態２に係る照明装置１ａは次のように構成されてもよい。連結具８ａは、長尺状に形成された灯具３の長手方向Ｘにおける両端部にそれぞれ取り付けられた状態で、灯具３の長手方向Ｘにおける両端部よりも外側に連結部８３が配置される第１連結具である端部連結具８０を用いて、造営部９に取り付けられてもよい。照明装置１ａが当該構成の場合は、実施の形態１の照明装置１となる。また、連結具８ａは、長尺状に形成された灯具３の長手方向Ｘにおける両端部に取り付けられた状態で、灯具３の長手方向Ｘにおける両端部よりも内側で造営部９ａに取り付けられてもよい。この際、連結具８ａは、長尺状の中央部連結具８４によって造営部９ａに取り付けられる。この中央部連結具８４は、吊ボルト９２ａと連結する連結部８５を有する。なお、第１連結具である端部連結具８０は、造営部９に取り付けられてもよく造営部９ａに取り付けられてもよい。また、第２連結具である中央部連結具８４は、造営部９に取り付けられてもよく造営部９ａに取り付けられてもよい。従って、連結具８ａは、吊ボルト９２ａに連結される連結具として、第１連結具である端部連結具８０と第２連結具である中央部連結具８４とのいずれか一方の連結具を有してもよい。
【０１４５】
実施の形態２に係る照明装置１ａは次のように構成されてもよい。連結具８ａは、長尺状に形成された灯具３の長手方向Ｘにおける両端部にそれぞれ取り付けられた状態で、灯具３の長手方向Ｘにおける両端部よりも外側に連結部８３が配置される第１連結具である端部連結具８０を有する。また、連結具８ａは、長尺状に形成された灯具３の長手方向Ｘにおける両端部に取り付けられた状態で、灯具３の長手方向Ｘにおける両端部よりも内側で吊ボルト９２ａと連結する連結部８５を有する長尺状の第２連結具である中央部連結具８４を有する。そして、第１連結具である端部連結具８０の連結部８３を第１連結部とし、第２連結具である中央部連結具８４の連結部８５を第２連結部とする。第１連結具である端部連結具８０は、灯具３の長手方向Ｘにおける両端部にそれぞれ取り付けられる。第２連結部である中央部連結具８４は、灯具３の長手方向Ｘにおける両端部に取り付けられた状態で、連結用固定具によって第１連結部である連結部８３と連結されて第１連結具である端部連結具８０を支持する。また、第２連結具である中央部連結具８４は、第２連結部である連結部８５が吊ボルト９２ａと連結する。なお、連結用固定具は、例えば、固定ボルト８７と、固定ナット８８とによって構成される。
【０１４６】
図１７は、図１５の照明システム１００ａのＣ−Ｃ線断面図である。なお、図１７に示す点線矢印Ｌｕは、発光素子６１から発せられた光であって、透光性カバー３０の内周部３８を反射された光の方向を示すものである。灯具３は、発光部６０の発光素子６１から発せられた光が、透光性カバー３０を透過すると共に、図１７に示すように、一部の光が透光性カバー３０の内周部３８で反射する。灯具３は、内周部３８で反射した光が、灯具３の側方及び上方に進み、灯具３の側方及び上方の壁を構成する透光性カバー３０を透過して、灯具３の側方及び上方に発せられる。したがって、照明システム１００ａは、造営部９ａの側にも光を照射することができ、照明空間全体の明るさ感を改善することができる。
【０１４７】
＜変形例＞
照明装置１ａは、連結ユニットである連結具８ａが、第１連結具である２つの端部連結具８０と、第２連結具である中央部連結具８４との機能を兼ね備えるように形成されてもよい。例えば、連結具８ａは、第１連結具である２つの端部連結具８０と、第２連結具である中央部連結具８４とが一体に形成されてもよい。
【０１４８】
また、照明装置１ａは、灯具３の連結部材４４が、第１連結具である２つの端部連結具８０の機能を兼ね備えるように形成されてもよい。
【０１４９】
また、照明装置１ａは、灯具３の連結部材４４が、連結ユニットである連結具８ａの機能を兼ね備えるように形成されてもよい。すなわち、照明装置１ａは、灯具３の連結部材４４が、第１連結具である２つの端部連結具８０と、第２連結具である中央部連結具８４との機能を兼ね備えるように形成されてもよい。
【０１５０】
さらに、第２連結具である中央部連結具８４の連結部８５には、必ずしも吊ボルト挿通孔８５１が形成されている必要はない。例えば、照明システム１００ａは、連結ボルトである吊ボルト９２ａにねじ込まれて羅着されるフック等が、連結部８５を抱え込むように係着するように構成されてもよいし、あるいは、吊ボルト９２ａにねじ込まれて羅着されるクランプ等が、連結部８５の全体または一部を挟み込んで締め付けるように構成されてもよい。このフックは、中央部連結具８４の連結部８５を吊ボルト９２ａに固定する固定具である。
【０１５１】
造営部９ａは、フックあるいはクランプを吊ボルト９２ａの一部として一体に形成されてもよく、この場合は、中央部連結具８４の連結部８５が固定具の機能を備えた吊ボルト９２ａに直接固定される構成となる。
【０１５２】
また、クランプを中央部連結具８４の一部として一体に形成し、クランプが吊ボルト９２ａを挟み込んで締め付けるように構成してもよい。この場合は、固定具の機能を備えた中央部連結具８４が吊ボルト９２ａに直接固定される構成となる。クランプは、例えば、中央部連結具８４の連結部８５に形成することができる。
【０１５３】
＜作用効果＞
照明装置１ａは、吊ボルト９２ａに対応した位置に配置され固定具によって吊ボルト９２ａと連結される連結部８５を有し、灯具３と造営部９ａとの間に配置されるように灯具３に取り付けられる中央部連結具８４を備えている。そのため、照明装置１ａは、後述する実施の形態３に示すような、灯具３を収容する照明器具２に取り付けられることによって照明装置１ｂを構成することができる灯具３と、簡易な構成であるの連結具８ａとを組み合わせることによって構成することができる。すなわち、照明装置１ａは、灯具３を収容する照明器具２を用いなくても造営部９ａである天井９１から垂下する吊ボルト９２ａに対して灯具３を直接連結することができる。その結果、照明装置１ａは、灯具３を造営部９ａである天井９１に取り付ける際に、灯具３を収容する冗長な構成である照明器具２を取り付ける必要がないので、作業者は、造営部９ａへの照明装置１ａの取り付けが容易となり、施工時間、施工費用が改善される。また、照明装置１ａは、照明装置１及び後述する照明装置１ｂと灯具３の共通化が図ることができる。そして、灯具３及び灯具３を用いる照明装置１ａは、灯具３及び灯具３を用いる照明装置１ａに関する開発、製造、流通、在庫の効率を向上させることができる。また、照明システム１００ａは、造営部９ａである天井９１に灯具３を収容する通常の照明器具２を取り付ける必要がないので、天井９１に照明器具２の施工痕跡を残さない。また、造営部９ａは、施工に際して、汎用の吊ボルト９２、連結ナット９３及び連結ワッシャ９４を使用することができるので照明システム１００ａは、利便性と経済性とに優れている。また、灯具３を収容する通常の照明器具２のように灯具３は連結具８ａに収納されることがないので、造営部９ａの側にも光を照射することができ、照明空間全体の明るさ感を改善することができる。
【０１５４】
また、端部連結具８０は、長尺状に形成された灯具３の長手方向Ｘにおける両端部にそれぞれ取り付けられる。すなわち、灯具３は、長手方向Ｘにおける両端部において端部連結具８０によって中央部連結具８４に取り付けられる。そのため、灯具３は、中央部連結具８４を挿通した固定ボルト８７と、固定ボルト８７に羅着された固定ナット８８とを介して、安定した状態で中央部連結具８４に支持される。
【０１５５】
連結部８５は、灯具３の長手方向Ｘにおける両端部よりも内側で吊ボルト９２ａと連結する。そのため、灯具３は、長手方向Ｘにおける両端部において端部連結具８０によって中央部連結具８４に取り付けることができる。そのため、灯具３は、中央部連結具８４を挿通した固定ボルト８７と、固定ボルト８７に羅着された固定ナット８８とを介して、安定した状態で中央部連結具８４に支持される。また、連結部８３を、灯具３の長手方向Ｘにおける両端部よりも外側に配置することができ、作業者が、中央部連結具８４を挿通した固定ボルト８７と連結部８３との連結作業を行い易い。
【０１５６】
また、吊ボルト挿通孔８５１は、灯具３の長手方向Ｘに沿って複数形成されている。そのため、複数形成された吊ボルト挿通孔８５１に２本以上の吊ボルト９２ａを挿通させることができ、造営部９ａは、少なくとも２箇所で灯具３を支持することができる。そのため、灯具３は、安定した状態で造営部９ａの吊ボルト９２ａによって支持される。また、中央部連結具８４は、吊ボルト９２ａの間隔が固定されている場合でも、複数のいずれかの吊ボルト挿通孔８５１を選択して光源ユニットである灯具３を吊ボルト９２ａに装着することができる。あるいは、中央部連結具８４は、長尺状の吊ボルト挿通孔８５１の任意の位置を選択して光源ユニットである灯具３を吊ボルト９２ａに装着することができる。また、照明装置１ａは、光源ユニットである灯具３の装着位置を、吊ボルト９２ａの並列方向に沿って選択的あるいは自在に変更できる。
【０１５７】
また、吊ボルト挿通孔８５１は、吊ボルト挿通孔８５１に挿通された吊ボルト９２が灯具３の長手方向Ｘに沿って滑動自在となるように、灯具３の長手方向Ｘに沿って長孔形状に形成されている。そのため、レースウェイ９０から垂下する吊ボルト９２は、レースウェイ９０に沿って滑動可能であり、吊ボルト９２の間隔を灯具３の寸法に合わせることができる。また、レースウェイ９０から垂下する吊ボルト９２は、レースウェイ９０に沿って滑動可能であり、灯具３の装着位置をレースウェイ９０に沿って自在に変更することができる。
【０１５８】
また、連結具８ａは、長尺状に形成された灯具３の長手方向Ｘにおける両端部にそれぞれ取り付けられた状態で、灯具３の長手方向Ｘにおける両端部よりも外側に連結部８３が配置される第１連結具である端部連結具８０を用いて、造営部９に取り付けられてもよい。照明装置１ａが当該構成の場合は、実施の形態１の照明装置１となる。また、連結具８ａは、長尺状に形成された灯具３の長手方向Ｘにおける両端部に取り付けられた状態で、灯具３の長手方向Ｘにおける両端部よりも内側で造営部９ａに取り付けられてもよい。連結具８ａは、吊ボルト９２ａと連結する連結部８５を有する長尺状の第２連結具である中央部連結具８４によって造営部９ａに取り付けられる。そのため、照明装置１ａは、例えば、複数の吊ボルト９２ａの互いの配置間隔に応じて、第１連結具である端部連結具８０と、第２連結具である中央部連結具８４とを吊ボルト９２ａに連結する連結具として選択することができる。
【０１５９】
また、連結具８ａは、第１連結具である端部連結具８０と、第２連結具である中央部連結具８４とを有する。第１連結具である端部連結具８０は、灯具３の長手方向Ｘにおける両端部にそれぞれ取り付けられている。第２連結部である中央部連結具８４は、灯具３の長手方向Ｘにおける両端部に取り付けられた状態で、連結用固定具によって第１連結部である連結部８３と連結されて第１連結具である端部連結具８０を支持する。また、第２連結部である中央部連結具８４は、灯具３の長手方向Ｘにおける両端部に取り付けられた状態で、第２連結部である連結部８５が吊ボルト９２ａと連結する。そのため、照明装置１ａは、例えば、複数の吊ボルト９２ａの互いの配置間隔が、灯具３の両端部の外側に配置された第１連結部である連結部８３同士の距離よりも小さい場合に、中央部連結具８４を吊ボルト９２ａに連結する連結具として使用することができる。
【０１６０】
また、連結具８ａは、造営部９ａに設けられた吊ボルト９２ａに取り付けられる照明装置用の連結具である。そして、連結具８ａは、吊ボルト９２ａに対応した位置に配置され固定具によって吊ボルト９２ａと連結される連結部８５を有し、灯具３と造営部９ａとの間に配置される。そのため、照明装置１ａは、後述する実施の形態３に示すような、灯具３を収容する照明器具２に取り付けられることによって照明装置１ｂを構成することができる灯具３と、簡易な構成であるの連結具８ａとを組み合わせることによって構成することができる。すなわち、照明装置１ａは、灯具３を収容する照明器具２を用いなくても造営部９ａである天井９１から垂下する吊ボルト９２ａに対して灯具３を直接連結することができる。その結果、照明装置１ａは、灯具３を造営部９ａである天井９１に取り付ける際に、灯具３を収容する冗長な構成である照明器具２を取り付ける必要がないので、作業者は、造営部９ａへの照明装置１ａの取り付けが容易となり、施工時間、施工費用が改善される。また、照明装置１ａは、照明装置１及び後述する照明装置１ｂと灯具３の共通化が図ることができる。そして、灯具３及び灯具３を用いる照明装置１ａは、灯具３及び灯具３を用いる照明装置１ａに関する開発、製造、流通、在庫の効率を向上させることができる。また、照明装置１ａは、造営部９ａである天井９１に灯具３を収容する通常の照明器具２を取り付ける必要がないので、天井９１に照明器具２の施工痕跡を残さない。また、造営部９ａは、施工に際して、汎用の吊ボルト９２、連結ナット９３及び連結ワッシャ９４を使用することができるので照明システム１００ａは、利便性と経済性とに優れている。また、灯具３を収容する通常の照明器具２のように灯具３は連結具８ａに収納されることがないので、造営部９ａの側にも光を照射することができ、照明空間全体の明るさ感を改善することができる。
【０１６１】
連結ナット９３及び連結ワッシャ９４に代えて、フック、クランプ等の固定具を用いることによって、作業者は、連結作業を行い易くなる。
【０１６２】
そして、固定具の機能を備えた吊ボルト９２ａあるいは中央部連結具８４を用いることによって、固定具を準備したり固定具を吊ボルト９２ａあるいは中央部連結具８４に取り付けたりする必要がなくなるため、作業者は、造営部９ａへの照明装置１ａの取り付けが容易となり、施工時間及び施工費用が改善される。
【０１６３】
実施の形態３．
＜照明システム１００ｂ＞
図１８は、本発明の実施の形態３に係る照明システム１００ｂの斜視図である。図１９は、本発明の実施の形態３に係る照明システム１００ｂの分解斜視図である。図１８及び図１９を用いて、照明システム１００ｂについて説明する。図１〜図１７の照明システム１００及び照明システム１００ａと同一の構成を有する部位には同一の符号を付してその説明を省略する。本発明の実施の形態３に係る照明システム１００ｂで特に記述しない項目については、実施の形態１に係る照明システム１００及び実施の形態２に係る照明システム１００ａと同様とし、同一の機能及び構成については同一の符号を用いて述べることとする。照明システム１００ｂは、照明装置１ｂと、造営部９ｂと、を有する。照明装置１ｂは、造営部９ｂに直接装着される。
【０１６４】
＜照明装置１ｂの構成＞
照明装置１ｂは、光を発する灯具３と、灯具３を収容する照明器具２とを有する。灯具３は、実施の形態１における連結具８、あるいは、実施の形態２における連結具８ａを用いない場合に、灯具３が通常の照明器具２に取り付けられることによって実施の形態３に係る照明装置１ｂを構成する。すなわち、実施の形態３における照明装置１ｂは、天井あるいは壁等の造営部９ｂに取り付けられる照明器具２と照明器具２に装着される灯具３とを有する。
【０１６５】
（照明器具２）
本実施の形態では、いわゆるトラフタイプの照明器具２を例として示す。なお、照明装置１ｂを構成する照明器具２として、トラフタイプの照明器具２を例示しているが、照明器具２はトラフタイプの照明器具２に限定されるものではない。照明装置１ｂは、灯具３が装着される照明器具２として、例えば、笠付タイプ、片側反射笠付タイプ、Ｖ形タイプ等、他の形状のものを採用することができる。
【０１６６】
照明器具２を構成する器具本体２０は、本実施の形態では、金属製の板材を折り曲げて形成される。器具本体２０は、器具底面部２１、一対の器具側面部２２及び一対の器具端部２３を有している。器具底面部２１は、長尺かつ平板状に形成されており、一対の器具側面部２２は、器具底面部２１の短手方向Ｙの両端から立ち上がるように形成されている。一対の器具側面部２２は、器具底面部２１の長手方向Ｘに沿って、器具底面部２１の側縁部に形成されている。一対の器具側面部２２は、器具本体２０の長手方向Ｘに延びるように形成された側壁であり、互いに対向するように形成されている。
【０１６７】
また、一対の器具端部２３は、器具底面部２１の長手方向Ｘの両端から立ち上がるように形成されている。一対の器具端部２３は、器具底面部２１の短手方向Ｙに沿って、器具底面部２１の端縁部に形成されている。一対の器具端部２３は、器具本体２０の短手方向Ｙに延びるように形成された側壁であり、互いに対向するように形成されている。器具端部２３には、ノックアウト２４が形成されており、電源線７４、接地線７５及び制御線７６等の電線（図示は省略）を挿通する際に取り外される。
【０１６８】
装着部２５は、装着された灯具３の一部を収容する収容部である。装着部２５は、器具本体２０の器具底面部２１、一対の器具側面部２２及び一対の器具端部２３により凹形状に形成される。このため、装着部２５は、器具本体２０の器具底面部２１、一対の器具側面部２２及び一対の器具端部２３で囲まれる空間を形成している。ここで、装着部２５が収容する灯具３の一部は、照射側ではない非照射部となる。また、器具本体２０の下端に形成された開口端部２６は、照明器具２の装着部２５に対して、灯具３の着脱を行う際の装着口となる。器具本体２０の開口端部２６において、長手方向Ｘの両端部には器具側連結部２７が形成されている。器具側連結部２７には、灯具３が取り付けられる。本実施の形態では、器具側連結部２７は、器具端部２３と一体に形成されており、開口端部２６から長手方向Ｘにおける中向きＸ２に向かって、折り曲げて形成されている。器具側連結部２７に形成されたネジ孔２８は、灯具３に取り付けられた固定具４８がねじ止めされる孔である。上述した連結部材４４は、灯具３に固定され、また、固定具４８によって照明器具２に固定される。なお、固定具４８は、例えば、連結ネジである。灯具３は、固定具４８によって照明器具２にねじ止めされて固定される。
【０１６９】
（灯具３）
実施の形態３に係る照明装置１ｂの灯具３の構成は、実施の形態１に係る照明装置１の灯具３と同じである。
【０１７０】
＜造営部９ｂ＞
造営部９ｂは、天井あるいは壁等である。
【０１７１】
＜作用効果＞
照明装置１ｂは、灯具３と灯具３を収容する照明器具２とを組み合わせることによって構成することができる。そのため、照明装置１ｂは、照明装置１及び照明装置１ａと灯具３の共通化が図ることができる。そして、灯具３及び灯具３を用いる照明装置１ｂは、灯具３及び灯具３を用いる照明装置１ｂに関する開発、製造、流通、在庫の効率を向上させることができる。
【０１７２】
以上、本発明の実施の形態、及び変形例を説明したが、これらの実施の形態と変形例とを組み合わせて実施しても構わない。あるいは、これらの実施の形態と変形例のうち、１つを部分的に実施しても構わない。あるいは、これらの実施の形態と変形例とを部分的に組み合わせて実施しても構わない。なお、本発明は、これらの実施の形態、及び変形例に限定されるものではなく、必要に応じて種々の変更が可能である。例えば、各実施の形態、及び変形例において、照明装置１、照明装置１ａ及び照明装置１ｂを構成する連結具８、連結具８ａ、及び、照明器具２は、いずれも長尺状の灯具３に対応した態様を例示しているが、これに限定されるものではない。灯具３、あるいは、灯具３を備える照明システム１００、照明システム１００ａ及び照明システム１００ｂは、短尺状のものでもよく。例えば、灯具３は透光性カバー３０の筒軸方向の長さ寸法が径方向の長さ寸法より小さい形状であってもよい。
【符号の説明】
【０１７３】
１  照明装置、１ａ  照明装置、１ｂ  照明装置、２  照明器具、３  灯具、８  連結具、８ａ  連結具、９  造営部、９ａ  造営部、９ｂ  造営部、２０  器具本体、２１  器具底面部、２２  器具側面部、２３  器具端部、２４  ノックアウト、２５  装着部、２６  開口端部、２７  器具側連結部、２８  ネジ孔、３０  透光性カバー、３１  並行部、３２  第１接続部、３３  第２接続部、３４  リブ、３５  カバー端部、３６  端部、３７  外周部、３８  内周部、４０  端部蓋、４１  第１端部カバー、４２  第２端部カバー、４３  封止具、４４  連結部材、４５  連結部材第１固定部、４６  連結部材第２固定部、４７  係合部、４８  固定具、４９  カバー蓋、５０  取付部材、５１  台座、５２  取付面部、５３  側部、５４  台座固定具、５５  取付部、５６  固定部、５７  ボス部、５８  ネジ孔、６０  発光部、６１  発光素子、６２  基板、７１  固定ネジ、７２  固定ネジ、７３  制御部、７４  電源線、７５  接地線、７６  制御線、７７  給電線、８０  端部連結具、８１  連結具第１固定部、８２  連結具第２固定部、８３  連結部、８４  中央部連結具、８５  連結部、８６  固定部、８７  固定ボルト、８８  固定ナット、８９  固定ワッシャ、９０  レースウェイ、９０ａ  基板部、９０ｂ  側壁部、９０ｃ  先端爪部、９１  天井、９２  吊ボルト、９２ａ  吊ボルト、９３  連結ナット、９４  連結ワッシャ、１００  照明システム、１００ａ  照明システム、１００ｂ  照明システム、４１０  第１カバー主部、４１０ａ  外壁部、４１１  第１カバー貫通孔、４１２  第１カバー連結孔、４１３  連結ガイド、４１４  カバー下面部、４１４ａ  底面部、４１４ｂ  側面部、４１５  カバー下面貫通孔、４１６  カバー電線保持部、４１７  カバー端面部、４１８  カバー端面貫通孔、４１９  端部カバー外周部、４２０  第２カバー主部、４２１  端部カバー挿通部、４２１ａ  挿通壁、４２２  第２カバー係合片、４２３  第２カバー係合爪、４２５  端部カバー内周部、４３０  封止具主部、４３１  電線挿通部、４３２  電線挿通孔、４３３  封止具筒状部、４３４  ネジ挿通孔、４３５  内周部、４３６  接続部、４３７  外周部、４５０  段差部、４５１  固定具挿通部、４５２  開放端、４６０  固定ネジ挿通孔、４６１  係合片挿通孔、４７１  スリット、４７２  挿入孔、４８０  頭部、４８１  胴部、４８５  固定具ワッシャ、４８５ａ  第１固定具ワッシャ、５２０  ネジ孔、５２１  切り欠き部、５２３  制御部取付部、８１０  第１固定部主部、８１１  ネジ孔、８１２  固定端部屈曲部、８２０  第２固定部主部、８２１  固定ネジ挿通孔、８２２  電源線挿通孔、８３０  連結部主部、８３１  ボルト挿通孔、８３２  連結端部屈曲部、８３３  連結側部屈曲部、８５０  連結部主部、８５１  吊ボルト挿通孔、８５２  連結側部屈曲部、８６０  固定孔、８６１  固定部材、８６２  鍔部、８６３  底部、８６４  固定ボルト挿通孔、８６５  側部、８６６  リベット、９２０  ボルト係止具、４７１０  上部スリット、４７１１  端部スリット。
【図１】
2020087793.tif 000003
【図２】
2020087793.tif 000004
【図３】
2020087793.tif 000005
【図４】
2020087793.tif 000006
【図５】
2020087793.tif 000007
【図６】
2020087793.tif 000008
【図７】
2020087793.tif 000009
【図８】
2020087793.tif 000010
【図９】
2020087793.tif 000011
【図１０】
2020087793.tif 000012
【図１１】
2020087793.tif 000013
【図１２】
2020087793.tif 000014
【図１３】
2020087793.tif 000015
【図１４】
2020087793.tif 000016
【図１５】
2020087793.tif 000017
【図１６】
2020087793.tif 000018
【図１７】
2020087793.tif 000019
【図１８】
2020087793.tif 000020
【図１９】
2020087793.tif 000021